(57)【要約】【課題】遊技機の前面側に設けられた発射操作装置を操作する遊技者の手の疲労を軽減させ、遊技機の前面を一体感のあるデザインにすること。【解決手段】封入球式遊技機１００は、遊技球を発射する発射装置６１と、発射装置６１を操作するための発射操作ユニット１５０とを備える。発射操作ユニット１５０は、タッチパネル表示ユニット１５１、見せ球装飾部１５４、スピーカ１５５及び発射スライドボリューム１５３と、遊技者の手の接触を検出するハンドルタッチ検出部材１５２と、これらを保持する取付枠体１５９とを備える。取付枠体１５９の側部には空間形成部１６３が形成され、空間形成部１６３の後方に空間部１５８が形成される。ハンドルタッチ検出部材１５２は空間部１５８の前部内側面を構成する部位に設けられている。空間部１５８の下部内側面を構成する部位に、載置部１６４が形成されている。【選択図】図９
2008194490.tif 000002
【特許請求の範囲】
【請求項１】
遊技領域に向けて遊技球を発射する発射装置を備えた遊技機において、
当該遊技機における前面側下方に、遊技の実行に係わる前面機能体を配設するための前方側に膨出した取付枠体を設け、
前記取付枠体の側部に、側方に向いて開口した空間部を形成するための空間形成部材を設け、
前記空間形成部材における左右方向中央部の後方にスピーカを設け、
前記空間形成部材における空間部の前部内側面を構成する部位に、前記開口から挿入された遊技者の手の接触を検出して、前記発射装置を作動させるための信号を出力するタッチ検出部材を設けるとともに、該空間形成部材における前記空間部の下部内側面を構成する部位に、前記開口から挿入された遊技者の手を載置可能な載置部を形成し、
前記スピーカの裏面に空間を形成するように当該スピーカ裏面側を包囲するエンクロージャーを設け、該エンクロージャーを前記空間部の後方に延出させたことを特徴とする遊技機。
【請求項２】
前記空間形成部材は、前方側に膨出した前面構成部と、前記空間部の下面を構成するとともに前記載置部を形成する底面構成部と、を有し、該空間部の後面に空間後面を備えることで該空間部をポケット状に形成し、
前記底面構成部を前記空間部から外側に延設するとともにその上面を平坦に形成することで、前記載置部を該空間部から外側に延在させたことを特徴とする請求項１に記載の遊技機。
【請求項３】
前記空間形成部材の前面側であって前記開口の縁部を、遊技者の手を前記載置部に載置した状態で当該手で把持可能な把持部として構成したことを特徴とする請求項１または請求項２に記載の遊技機。
【請求項４】
前記空間形成部材は、遊技者の左右何れの手でも載置可能に、当該遊技機の下部前面側両側部に設けたことを特徴とする請求項１から請求項３の何れか一項に記載の遊技機。
【請求項５】
前記空間形成部材の前面側であって前記開口の縁部を、遊技者の手を前記載置部に載置した状態で当該手で把持可能な把持部として構成し、
前記空間形成部材の前面側表面であって前記開口の縁部の近傍に、前記発射装置における遊技球の発射勢を調整可能な発射勢調整部材を備え、遊技者の手で前記把持部を把持した状態で該発射勢調整部材を操作可能に構成したことを特徴とする請求項１から請求項４の何れか一項に記載の遊技機。
【発明の詳細な説明】
【技術分野】
【０００１】
本発明は、遊技領域に向けて遊技球を発射する発射装置を備えた遊技機に関する。
【背景技術】
【０００２】
従来の発射操作装置（発射ハンドル）は、遊技機の前面から前方に突出されたノブ状に構成されていて、その周りに発射勢を調整可能な回動式の操作ダイヤルが設けられていた。また、操作ダイヤル自体或いはその近傍に、タッチセンサが設けられ該センサの検出を条件に発射が可能となるように制御されていた。
このような従来の発射操作装置では、一定の回動量を保持しながら遊技を行う必要があり長時間遊技を継続すると遊技者の手が疲労するという問題があることから、操作装置に手の平を載せる部位を形成し、該部位に手の平を載せた状態で発射操作を行えるようにした遊技機も考えられている（例えば、特許文献１参照。）。
【特許文献１】特開平９−８４９２７号公報
【発明の開示】
【発明が解決しようとする課題】
【０００３】
しかしながら、従来の遊技機においては、遊技者の手を載せられる部位を設けることから、発射操作装置自体が大型化してしまうといった問題点がある。更に、遊技機前面側に設けられる他の機構体の配設の自由度が低減してしまうといった問題点がある。
【０００４】
この発明の目的は、遊技球の発射を操作するための発射操作装置を遊技機の前面側に設けた場合、遊技者がその発射操作装置を操作したときに手の疲労を軽減させることであり、また、遊技機の前面側のデザインが一体感のあるものとし且つ遊技機の装飾性を向上させることである。
【課題を解決するための手段】
【０００５】
前記課題を解決するため、請求項１に記載の発明は、遊技領域に向けて遊技球を発射する発射装置を備えた遊技機において、
当該遊技機における前面側下方に、遊技の実行に係わる前面機能体を配設するための前方側に膨出した取付枠体を設け、
前記取付枠体の側部に、側方に向いて開口した空間部を形成するための空間形成部材を設け、
前記空間形成部材における左右方向中央部の後方にスピーカを設け、
前記空間形成部材における空間部の前部内側面を構成する部位に、前記開口から挿入された遊技者の手の接触を検出して、前記発射装置を作動させるための信号を出力するタッチ検出部材を設けるとともに、該空間形成部材における前記空間部の下部内側面を構成する部位に、前記開口から挿入された遊技者の手を載置可能な載置部を形成し、
前記スピーカの裏面に空間を形成するように当該スピーカ裏面側を包囲するエンクロージャーを設け、該エンクロージャーを前記空間部の後方に延出させたことを特徴とする。
【０００６】
請求項１に記載の発明によれば、遊技者の手を載せられるので、長時間遊技を継続しても疲労しづらい。特に、遊技機の横方向から手を載せられるので自然な姿勢で楽に遊技を行える。また、膨出状の取付枠体の形状を利用して載置部を形成したので、前面側における他の機構との配置に関しても何ら問題が生じないし、遊技機の前面側が一体感のあるデザインとなり装飾性も向上する。
また、空間内に手を入れて置けるので、手を保護することができる。（例えば、上部から落ちてきた物が手にぶつかることを保護）。
また、スピーカの裏面に空間を形成するように当該スピーカ裏面側を包囲するエンクロージャーを設け、エンクロージャーを空間部の後方に延出させたことによって、空間後面部とエンクロージャーとによって包囲された内部空間が形成され、これにより、スピーカにより発生する振動をタッチ検出部材に触れている遊技者の手に伝えて、遊技者が手で音に基づく振動を体感することができる。
【０００７】
請求項２に記載の発明は、請求項１に記載の遊技機において、前記空間形成部材は、前方側に膨出した前面構成部と、前記空間部の下面を構成するとともに前記載置部を形成する底面構成部と、を有し、該空間部の後面に空間後面を備えることで該空間部をポケット状に形成し、
前記底面構成部を前記空間部から外側に延設するとともにその上面を平坦に形成することで、前記載置部を該空間部から外側に延在させたことを特徴とする。
【０００８】
請求項２に記載の発明によれば、載置部を広くできるので、より確実かつ安定した状態で遊技者の手を載せることができる。
【０００９】
請求項３に記載の発明は、請求項１または請求項２に記載の遊技機において、前記空間形成部材の前面側であって前記開口の縁部を、遊技者の手を前記載置部に載置した状態で当該手で把持可能な把持部として構成したことを特徴とする。
【００１０】
請求項３に記載の発明によれば、安定した状態で手を載せておくことができ、また、タッチ検出も確実かつ無理なく行うことができる。
また、従来のように把持部が遊技機から突起したものではないので、デザイン的にも効果的である。
【００１１】
請求項４に記載の発明は、請求項１から請求項３の何れか一項に記載の遊技機において、前記空間形成部材は、遊技者の左右何れの手でも載置可能に、当該遊技機の下部前面側両側部に設けたことを特徴とする。
【００１２】
請求項４に記載の発明によれば、載置する手を遊技者が選べるので、例えば、左利きの遊技者でも何ら違和感なく手を載置することができる。
【００１３】
請求項５に記載の発明は、請求項１から請求項４の何れか一項に記載の遊技機において、前記空間形成部材の前面側であって前記開口の縁部を、遊技者の手を前記載置部に載置した状態で当該手で把持可能な把持部として構成し、
前記空間形成部材の前面側表面であって前記開口の縁部の近傍に、前記発射装置における遊技球の発射勢を調整可能な発射勢調整部材を備え、遊技者の手で前記把持部を把持した状態で該発射勢調整部材を操作可能に構成したことを特徴とする。
【００１４】
請求項５に記載の発明によれば、載置部に手を載せた状態で、発射勢の強弱調整を行うことが可能となり、疲労感無く遊技を継続できる。
【発明の効果】
【００１５】
本発明によれば、遊技者の手を載せられるので、長時間遊技を継続しても疲労しづらい。特に、遊技機の横方向から手を載せられるので自然な姿勢で楽に遊技を行える。また、膨出状の取付枠体の形状を利用して載置部を形成したので、前面側における他の機構との配置に関しても何ら問題が生じないし、遊技機の前面側が一体感のあるデザインとなり装飾性も向上する。
【発明を実施するための最良の形態】
【００１６】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
図１は、本発明の遊技機を適用した実施形態における封入球式遊技機１００の正面が開いた状態の封入球式遊技機１００の斜視図であり、図２は、封入球式遊技機１００の正面が閉じた状態の封入球式遊技機１００の斜視図であり、図３は、封入球式遊技機１００の背面図である。また、図４は、封入球式遊技機１００の裏面下部を示す要部斜視図であり、図５は、前面枠本体１３０の開口部１２１の下部及びその周辺を示した斜視図である。図６は、封入球式遊技機１００の下部の断面図であり、図７は、封入球式遊技機１００の下部を示す要部断面図である。
【００１７】
本実施形態の封入球式遊技機１００は、本発明をパチンコ遊技機に応用したものであり、例えば、遊技内容等は、従来のパチンコ遊技機と同様とすることが可能となっているとともに、外形等のサイズも同様となっており、パチンコ遊技店の現状の島設備に設置可能となっているが、島設備の球供給機構や球排出機構を用いることがないものとなっている。すなわち、封入球式遊技機１００においては、予め封入された遊技球を用い、貸球機等を介してカード等の記憶媒体から入力されたデータ（貸球数のデータ）等に基づく遊技球数、すなわち、持球数のデータに対応して遊技球を遊技領域に発射可能とされ、遊技球を発射すると発射された遊技球数に対応して持球数のデータが減算されるようになっている。また、発射された遊技球が各種入賞口や変動入賞装置等の入賞具に入賞して賞球（遊技球）が発生した場合は、実際の遊技球を払い出すことなく、前記持球数のデータに賞球数が加算されるようになっている。また、持球数のデータが０となると、遊技球の発射ができない状態となる。この状態でカード等の記憶媒体に記憶された金額のデータや貯球のデータ等に基づいて、持球数のデータに数値（すなわち、貸球数もしくは再プレイ球数）が加算されると再び遊技球の発射が可能となる。
また、発射された遊技球は、封入球式遊技機１００内で回収されて再び発射可能な状態となるようになっており、遊技球は封入球式遊技機１００内で循環するようになっている。
すなわち、この実施形態の封入球式遊技機１００は、遊技領域に発射された遊技球を回収して、再び遊技に供する封入球式遊技機である。
【００１８】
図１〜図７に示すように、本実施形態の封入球式遊技機１００は、矩形枠状に構成された機枠１１０を備え、この機枠１１０の一側方には、該機枠１１０に対し回動可能に矩形枠状の前面枠１２０が軸支されている。また、前面枠１２０は、当該前面枠１２０に備えられる各種部材等の取付用のベースとなる前面枠本体（本体枠）１３０と、当該前面枠本体１３０に対して、その前面側に回動可能に軸支されたガラス枠１４０と、前面枠本体１３０の前面のガラス枠１４０の下側に取り付けられた発射操作ユニット１５０とを有する。
【００１９】
前面枠本体１３０は、矩形枠状の機枠１１０内にちょうど収まるように、概略矩形板状に構成されるとともに、その中央から上端部に渡る部分に後述する遊技盤１を嵌め込んで収容するための方形状の開口部１２１が形成されている。そして、前面枠本体１３０に収容された遊技盤１の前面が前面枠本体１３０の開口部１２１から前側に臨むようになっている。また、前面枠本体１３０の遊技盤１が嵌め込まれた開口部１２１、すなわち、前面枠本体１３０の中央より少し下側から上端部に渡る部分を覆って前記ガラス枠１４０が配置されており、遊技盤１の前面と前記ガラス枠１４０に嵌め込まれたガラス板１４１，１４１との間で、遊技盤１の前面に設けられたガイドレール２に囲まれた部分が遊技球が発射されて流下する遊技領域１ａとされている。そして、この封入球式遊技機１００は、この遊技領域１ａに向けて遊技球を発射する発射装置６１を備えるものである。
【００２０】
また、ガラス枠１４０の一方の側部（左側部）は、前面枠本体１３０の一方の側部に回動可能に軸支されて、扉状に開閉自在とされ、ガラス枠１４０を開くことにより、遊技盤１の前面側の遊技領域１ａの前側を開放可能となっている。
ガラス枠１４０には、前面枠本体１３０の開口部１２１をほぼ閉塞するように、該開口部１２１に嵌め込まれた遊技盤１との間に遊技球が流下可能な遊技領域１ａとなる間隔を開けて二重のガラス板１４１，１４１が固定されている。そして、ガラス枠１４０において、封入球式遊技機１００の前側からガラス板１４１，１４１を介して遊技盤１の前面側の少なくとも遊技領域１ａの部分が視認可能となっている。
【００２１】
また、ガラス枠１４０の前面側のうち遊技領域１ａの視認を妨げない位置には、図２に示すように、外部アピール装飾ランプ１１，…、サイドランプ１２，１２、スピーカ１３，１３等が設けられている。外部アピール装飾ランプ１１，…は、ガラス枠１４０の前面上部に設けられている。外部アピール装飾ランプ１１，…は、主に獲得遊技球数が大量となった場合に、その旨を周囲に報知するためのものである。例えば、入球数（遊技者が遊技機に打ち込んだ球数）と出球数（遊技球が入賞口等に入って出てきた賞球数）との差である差球数（差球数に遊技店が遊技者に貸した貸球数を加算した数値は、遊技者が持っている持球数であり、持球数は、ここでは、上述の遊技球の発射を可能とする遊技球数のデータ）に基づいて、差球数が高くなった場合に、外部アピール装飾ランプ１１，…が点灯するようになっている。なお、上述のように封入球式遊技機１００では、上述のように賞球の払い出しは行われず、上述の出球数、入球数、差球数、持球数（遊技球数）等は、実際の遊技球の個数ではなく、データ上の数値となる。すなわち、実際に使用される遊技球は、循環使用される限られた所定数（例えば、２５個）しかなく、持球数は、例えば、遊技領域に発射される遊技球を検知してカウントした発射球数、発射されたが戻ってしまった遊技球を検知してカウントしたファール球数、遊技領域に発射されて回収された遊技球を検知してカウントした回収球数、入賞した場合の賞球数、遊技店から借りた貸球数等の数値から上述の入球数、出球数、差球数、持球数が得られる。
【００２２】
なお、ガラス枠１４０を開放して遊技球が外に出てしまう等のトラブルがない限り、発射球数＝ファール球数＋回収球数（ファール球数を含まない場合）となる。そして、入球数＝回収球数＝発射球数−ファール球数となり、出球数＝賞球数（積算値）＝入球数−貸球数（再プレイ球数）＋持球数となり、持球数＝貸球数（もしくは再プレイ球数）＋出球数−入球数、出球数−入球数＝差球数、持球数＝貸球数（もしくは再プレイ球数）＋差球数となる。以上のように封入球式遊技機１００による遊技は、完全にデータ上の数値として行われることになり、遊技球をこぼしたり、遊技球を下皿や上皿に残したりすることによる誤差が生じることがなく、整数単位で確実に管理可能となる。しかし、多数の遊技球を得て、これを遊技球箱に溜めることにより遊技者が得られる満足感や優越感といったものが、持球数という数値の増加では得難い。そこで、外部アピール装飾ランプ１１，…は、遊技者が満足感や優越感を得られるように用いられる。
【００２３】
外部アピール装飾ランプ１１，…の動作をより具体的に説明すると、例えば、持球数もしくは差球数が１０００個以上になると、外部アピール装飾ランプ１１，…のうちの１つが所定の発光色（たとえば緑）で点灯し、持球数もしくは差球数が２０００個以上となると外部アピール装飾ランプ１１，…のうちの２つが点灯するとともに、発光色を変更するというように、持球数もしくは差球数が所定数ずつ増えるたびに外部アピール装飾ランプ１１，…の点灯数を増加し、かつ、発光色を変更し、遊技店内の遊技者等に差球数が多い台を知らせるとともに、その台で遊技する遊技者が多くの遊技球数を獲得していることをアピールするようになっている。
【００２４】
また、前面枠本体１３０の前面側のガラス枠１４０の下側には、発射操作ユニット１５０が取り付けられている。図８は、発射操作ユニット１５０の上面図（平面図）であり、図９は、発射操作ユニット１５０の側面図であり、図１０は、図９の面X−Xに沿う断面図であり、図１１は、図１０の断面図のうち面X−Xに沿った端面を示す図面であり、図１２は、発射操作ユニット１５０の分解斜視図である。
【００２５】
図８〜図１２に示すように、発射操作ユニット１５０は、遊技の実行に係わる前面機能体としてのタッチパネル表示ユニット（表示装置）１５１、見せ球装飾部１５４、スピーカ１５５及び発射スライドボリューム（発射勢調整装置）１５３と、遊技者の手の接触を検出するハンドルタッチ検出部材１５２，１５２と、これらの部材を保持するとともに発射装置６１の操作用のポケット状の空間部１５８，１５８を形成する発射操作フレーム１６０と、を備える。
【００２６】
発射操作フレーム１６０は、前面枠本体１３０の下部に備わった取付盤１３１の前面を前方から覆った裏面カバー１６２と、裏面カバー１６２の前面に取り付けられた取付枠体１５９と、を備える。上述したようにガラス枠１４０は前面枠本体１３０のうち上下方向中央より少し下側から上端部に渡る部分を前方から覆っているが、裏面カバー１６２は前面枠本体１３０のうち残りの下側の部分（取付盤１３１）を前方から覆っている。
【００２７】
取付枠体１５９は、封入球式遊技機１００の前面側下方に設けられており、遊技の実行に係わる前面機能体としての見せ球装飾部１５４、スピーカ１５５及び発射スライドボリューム１５３を配設するために前方側に膨出している。すなわち、取付枠体１５９は裏面カバー１６２の前面全体を覆うように裏面カバー１６２の前面に取り付けられており、取付枠体１５９が二枚のガラス板１４１，１４１のうちの前側のガラス板１４１よりも前方へ膨出した状態に形成されている。取付枠体１５９が前方に膨出した状態に設けられているので、取付枠体１５９と裏面カバー１６２との間にスペースが形成され、タッチパネル表示ユニット１５１、見せ球装飾部１５４及び発射スライドボリューム１５３を傾斜させた状態で配設できるようになっている。
また、取付枠体１５９の裏面（裏面カバー１６２側の面）には、雌のネジ穴が幾つか形成されており、裏面カバー１６２にはこれらネジ穴に対応する位置においてネジ貫通孔が形成され、取付盤１３１にはこれらネジ穴に対応する位置においてネジ貫通孔が形成されている。そして、発射操作フレーム１６０を前面枠本体１３０の前面側のガラス枠１４０の下側に取り付ける場合には、取付枠体１５９の裏面に裏面カバー１６２を取り付け（発射操作フレーム１６０を組み立て）、裏面カバー１６２を取付盤１３１に向けた状態で取付盤１３１の前面下部を発射操作フレーム１６０で覆い、取付盤１３１の裏面からネジをそれぞれのネジ貫通孔に通し、それらネジを取付枠体１５９のネジ穴に螺合させる。
なお、この封入球式遊技機１００では取付枠体１５９が裏面カバー１６２を介して取付盤１３１の前面に取り付けられているが、取付枠体１５９と取付盤１３１との間に裏面カバー１６２を介在させずに取付枠体１５９が取付盤１３１の前面に直接取り付けられていても良い。
【００２８】
取付枠体１５９の左右方向中央部であってその上部には、略矩形状の切欠き１６６が形成され、この切欠き１６６には、略矩形枠状の表示部取付部材１６５が装着されている。表示部取付部材１６５の矩形枠内にはタッチパネル表示ユニット１５１が嵌め込まれており、タッチパネル表示ユニット１５１の表示面の周囲が表示部取付部材１６５によって囲繞されている。
【００２９】
前面機能体として遊技者に遊技情報を表示するタッチパネル表示ユニット１５１は、その表示面を斜め上方に傾斜した状態で、表示部取付部材１６５を介して取付枠体１５９に取り付けられている。すなわち、タッチパネル表示ユニット１５１の表示面の下部が前寄りになり且つタッチパネル表示ユニット１５１の表示面の上部が後ろ寄りになるように、タッチパネル表示ユニット１５１の表示面が傾斜している。
【００３０】
タッチパネル表示ユニット１５１の表示面に対して裏側の背面部は、取付枠体１５９と裏面カバー１６２との間に形成されたスペースに収納された状態となっている。なお、図１２では、図面を簡略にするためにタッチパネル表示ユニット１５１及び表示部取付部材１６５の図示を省略する。
【００３１】
タッチパネル表示ユニット１５１は、液晶ディスプレイを有するもので、基本的な機能として、持球数の情報、金額情報（カード等の記憶媒体に記憶された残額等）、貯球情報（景品と交換せずに遊技店側に貯蓄した遊技球数等）等の遊技情報を表示し、実際の遊技球の払い出しがなくても、いつでも、持球数を確認できるようにするとともに、遊技者や遊技店の店員等に対してエラーの発生を含む各種情報を表示可能となっている。また、タッチパネル表示ユニット１５１は、タッチパネルとして、表示切替や、その他の表示内容に対応した入力操作を可能とするものである。なお、タッチパネル表示ユニット１５１は、表示部取付部材１６５とともに封入球式遊技機１００の左右方向に設定された回転軸回りに回転して傾きを調整できるようになっており、遊技者の体格等に対応して遊技者が見やすい角度に変更可能となっている。
【００３２】
また、タッチパネル表示ユニット１５１の右方には、前面機能体としての見せ球装飾部１５４が設けられている。この見せ球装飾部１５４も、タッチパネル表示ユニット１５１と同様に、表示部取付部材１６５を介して取付枠体１５９に取り付けられている。
【００３３】
見せ球装飾部１５４は、遊技球を払い出すパチンコ遊技機における上皿に溜まった遊技球の減少や増加による流動等を仮想的に表現するものである。
すなわち、遊技球を順次発射した際や、遊技球が入賞した際に、タッチパネル表示ユニット１５１に表示される持球数の増減だけで、パチンコ遊技機の上皿に溜まった遊技球の発射による減少や、賞球の払い出しによる増加を実感しずらいので、見せ球装飾部１５４で、遊技球の移動を仮想的に再現することで、遊技者に対して遊技球の増減を実感しやすい状態とする。
【００３４】
なお、見せ球装飾部１５４は、例えば、遊技球の増減を遊技球の移動で表現するものであり、実際の遊技球を循環移動させることにより表示しても良いし、ディスプレイとして画像により遊技球の移動を表示するものとしても良いし、擬似的にランプの点滅等で遊技球の移動を表現するものとしても良い。
【００３５】
取付枠体１５９はその左右両側部に、側方に向いて開口した空間部１５８を形成するための空間形成部（空間形成部材）１６３，１６３を備える。空間形成部１６３，１６３は、取付枠体１５９の側部から延設されている。すなわち、封入球式遊技機１００を正面側から見た場合に、空間形成部（空間形成部材）１６３，１６３が取付枠体１５９の左右それぞれの側部から側方に向かって延出するように設けられ、空間形成部１６３，１６３のそれぞれの後方にポケット状の空間部１５８，１５８が形成され、左側の空間部１５８は左方に向いて開口し、右側の空間部１５８は右方に向いて開口している。
【００３６】
右側の空間形成部１６３は、その空間形成部１６３の前面部を構成し、前方側に膨出した湾曲状の前面構成部１６３ａと、その空間形成部１６３の下面部を構成した底面構成部１６３ｂとを備える。封入球式遊技機１００を側面側から見た場合、前面構成部１６３ａは、その前面上部から前面下部に向かうにつれて徐々に前方に膨出するように湾曲した状態に設けられている。前面構成部１６３ａの下端から底面構成部１６３ｂの上端にかけて連続するように、前面構成部１６３ａが底面構成部１６３ｂと一体に形成されている。底面構成部１６３ｂは、その下部からその上部に向かうにつれて徐々に前方に膨出するように湾曲した状態に設けられている。
【００３７】
一方、裏面カバー１６２は、空間後面部１７０，１７０を左右それぞれに有する。そして、右側の空間後面部１７０の前方では、右側の空間形成部１６３が右側の空間形成部１６３に相対向している。
【００３８】
右側の空間部１５８は右側の空間形成部１６３のうち前面構成部１６３ａと空間後面部１７０との間に形成されており、空間後面部１７０が空間部１５８の後部内側面を構成している。右側の空間部１５８は、右側方に開口しており、全体としてポケット状に形成されている。
【００３９】
また、取付枠体１５９は、空間部１５８の開口１５８ａから挿入された遊技者の手を載置可能な載置部１６４，１６４を左右それぞれの側部に有する。そして、右側の空間形成部１６３における空間部１５８の下部内側面を構成する部位に、開口１５８ａから挿入された遊技者の手（主に右手）を載置可能な右側の載置部１６４を形成している。また、右側の載置部１６４が空間部１５８からその右方外側に延在するように、右側の空間形成部１６３の下方部位が延設されている。すなわち、右側の載置部１６４が右側の前面構成部１６３ａと底面構成部１６３ｂとの境界線を通った水平面状に形成されており、封入球式遊技機１００を正面側から見た場合にその載置部１６４の一部が前面構成部１６３ａの後ろ側に配設され、その載置部１６４の他の部分が底面構成部１６３ｂの上側において空間部１５８から右方に延出している。右側の載置部１６４のうち空間部１５８から右方に延出した部分は、略平坦に形成されている。
【００４０】
この封入球式遊技機１００は、従来のパチンコ遊技機に設けられた遊技球の発射を操作するための回転操作式の操作ハンドルに代えて、ハンドルタッチ検出部材１５２，１５２及び発射スライドボリューム１５３を有する。
【００４１】
右側の空間形成部１６３における空間部１５８の前部内側面を構成する部位に、開口１５８ａから挿入された遊技者の手（主に右手）を検出して発射装置６１を作動させるための信号を出力する右側のハンドルタッチ検出部材１５２を設けている。
【００４２】
詳細に説明すると、右側のハンドルタッチ検出部材１５２は、右側の前面構成部１６３ａと右側の空間後面部１７０との間に配置さている。そして、右側のハンドルタッチ検出部材１５２は、右側の前面構成部１６３ａを後ろから覆うとともに右側の載置部１６４の一部（主に、空間部１５８内に存する部分）を上から覆うように設けられている。そして、右側のハンドルタッチ検出部材１５２は、取付枠体１５９の右側部に形成されたポケット状の空間部１５８の前部内側面を構成する。また、ハンドルタッチ検出部材１５２は、金属板で構成され、従来の操作ハンドルに設けられていたタッチセンサを有するものであり、遊技者の手のハンドルタッチ検出部材１５２に対する接触によって信号を発射制御装置に出力し、発射制御装置の制御の元に発射装置６１を作動させて遊技球を発射させるものである。
【００４３】
また、右側の載置部１６４が右側の空間部１５８から右方外側に延出した状態となっているので、遊技者が手（主に右手）を右側の空間部１５８に入れて右のハンドルタッチ検出部材１５２に触れた状態で手を載置部１６４に置けるようになっている。すなわち、載置部１６４は、ハンドレストとして機能する。
【００４４】
また、遊技者が右手を右側の空間部１５８に入れた状態では、右側の空間形成部１６３の前面側であって開口１５８ａの縁部が、遊技者の右手で把持可能な把持部１６３ｃとして構成されている。具体的には、遊技者の右手の人差し指、中指、薬指及び小指を右側の空間部１５８に入れた状態で、ハンドルタッチ検出部材１５２に触れて、親指を右側の空間部１５８から出して空間形成部１６３の前方に位置させて、把持部１６３ｃを把持することが遊技者にとって可能となっている。また、遊技者が手を載置部１６４に載置した状態で、把持部１６３ｃを手で把持することが可能とされている。
【００４５】
また、従来、発射勢の調整は、操作ハンドルを回転することにより行われていたが、この封入球式遊技機１００では、操作レバー１５６の上下動させることにより行われる。そして、発射装置６１における遊技球の発射勢を調整可能な操作レバー１５６は、空間形成部１６３の前面側表面であって開口１５８ａの縁部（把持部１６３ｃ）の近傍に備えられている。そして、この封入球式遊技機１００では、遊技者の手で把持部１６３ｃを把持した状態で操作レバー１５６を操作可能に構成している。そして、操作レバー１５６を備えた発射スライドボリューム１５３により発射勢を調整できるようになっている。
【００４６】
具体的には、前面機能体としての発射スライドボリューム１５３は、右側の空間形成部１６３のうち前面構成部１６３ａとハンドルタッチ検出部材１５２との間において前面構成部１６３ａの裏面に取り付けられている。その前面構成部１６３ａには、上下に長尺なスリット１６３ｄが形成されており、発射スライドボリューム１５３の可動部がスリット１６３ｄから前方へ突出し、その可動部に操作レバー１５６が取り付けられている。
【００４７】
また、操作レバー１５６は、発射スライドボリューム１５３の可動部とともにスリット１６３ｄに沿って上下に移動可能に設けられている。遊技者の右手の人差し指、中指、薬指及び小指を右側の空間部１５８に入れ、ハンドルタッチ検出部材１５２に触れ且つ把持部１６３ｃを把持した状態で、親指を右側の空間部１５８から出してその親指で操作レバー１５６を上下に操作できるようになっている。
【００４８】
また、操作レバー１５６を上又は下に移動すると発射勢が強くなり、逆に移動すると発射勢が弱くなるようになっている。この操作レバー１５６は、任意の位置で止められるようになっており、手を離してもバネ等により発射勢を最低とする位置に戻ることがないので、一度、遊技者が発射勢を決めたら、操作レバー１５６から手を離して、ハンドルタッチ検出部材１５２に手を触れるだけで遊技球が発射可能となる。
【００４９】
一方、左側の空間形成部１６３は、封入球式遊技機１００の上下に延在した中心線に関して右側の空間形成部１６３と線対称に設けられており、左側の載置部１６４は、封入球式遊技機１００の上下に延在した中心線に関して右側の載置部１６４と線対称に設けられており、左側のハンドルタッチ検出部材１５２は、封入球式遊技機１００の上下に延在した中心線に関して右側のハンドルタッチ検出部材１５２と線対称に設けられている。但し、左側の空間形成部１６３には、右側の空間形成部１６３のようにスリットが形成されていない。
【００５０】
裏面カバー１６２の左側の空間後面部１７０も、右側の空間後面部１７０と同様に、左側の空間形成部１６３の後方においてその空間形成部１６３に相対向しており、左側の空間部１５８の後部内側面を構成している。また、左側のハンドルタッチ検出部材１５２は、右側のハンドルタッチ検出部材１５２と同様に、左側の前面構成部１６３ａと空間後面部１７０との間に配置され、左側の空間部１５８の前部内側面を構成している。
【００５１】
空間形成部１６３，１６３は、遊技者の左右何れの手でもそれぞれの載置部１６４，１６４に載置可能に、封入球式遊技機１００の下部前面側の左右両側部にそれぞれ設けられている。また、ハンドルタッチ検出部材１５２，１５２は、封入球式遊技機１００の下部の発射操作ユニット１５０の左右にそれぞれ設けられているので、右手でも左手でも遊技球の発射の操作が可能となっている。
【００５２】
この封入球式遊技機１００では、左側の空間形成部１６３に発射スライドボリューム及び操作レバーが設けられていないが、右側の空間形成部１６３と同様に左側の空間形成部１６３の裏面側に発射スライドボリュームを設け、左側の空間形成部１６３の前面側表面にも操作レバーを設けても良い。左側の空間形成部１６３に発射スライドボリューム及び操作レバーを設けた場合には、右側の空間形成部１６３に発射スライドボリューム１５３及び操作レバー１５６を設けなくても良いし、設けても良い。
【００５３】
この発射操作ユニット１５０では、以下のようにして、スピーカ１５５が裏面カバー１６２を介して取付枠体１５９に取り付けられている。すなわち、取付枠体１５９の左右方向中央部であってその下部には、後方に窪んだ状態に形成されたスピーカ取付凹部１６７が設けられている。スピーカ取付凹部１６７の後ろ側底面には、開口１６８が形成されている。一方、裏面カバー１６２の左右方向における中央部であってその下部には、前方に向かって凸状に設けられたスピーカ取付部１７１が形成されている。取付枠体１５９が裏面カバー１６２と前後に重なって裏面カバー１６２に組み付けられた場合に、スピーカ取付部１７１の前面がスピーカ取付凹部１６７の後ろ側底面と対向している。また、スピーカ取付部１７１の前面には、スピーカ取付部１７１の裏面まで貫通した開口１７２が形成されており、スピーカ取付凹部１６７の開口１６８がスピーカ取付部１７１の開口１７２と前後に重なっている。
【００５４】
裏面カバー１６２を正面側から見た場合には、スピーカ取付部１７１が前方に凸状に形成されているが、裏面カバー１６２を裏面側から見た場合には、スピーカ取付部１７１が前方に凹状に形成されている。スピーカ取付部１７１の裏面の凹部に、前面機能体としてのスピーカ１５５が収納されている。スピーカ１５５のコーン面が開口１６８及び開口１７２を閉塞するように、スピーカ１５５がスピーカ取付部１７１を介してスピーカ取付凹部１６７に設けられている。スピーカ１５５のコーン面は保護カバー１７３によって覆われており、この保護カバー１７３はスピーカ１５５とスピーカ取付部１７１の裏面との間に挟持された状態でスピーカ取付部１７１に取り付けられている。
なお、スピーカ１５５が裏面カバー１６２を介して取付枠体１５９に取り付けられているが、取付枠体１５９（主に、スピーカ取付凹部１６７の開口１６８と前後に重なる位置）に直接取り付けられていても良い。
【００５５】
スピーカ１５５は、その後方をエンクロージャー１５７によって覆われている。エンクロージャー１５７は、その前側が開放した箱状に形成されており、箱状内の空間にスピーカ１５５を配置させた状態で裏面カバー１６２の裏面に取り付けられている。また、エンクロージャー１５７は、右側（図３に示すように後ろから向かって見た場合には左側）に延出した状態に設けられており、エンクロージャー１５７の一部が裏面カバー１６２の右側の空間後面部１７０を後ろから覆っている。エンクロージャー１５７が前側に開放した箱状に形成されているから、空間後面部１７０とエンクロージャー１５７とによって包囲された内部空間が形成され、これにより、スピーカ１５５により発生する振動を右のハンドルタッチ検出部材１５２に触れている遊技者の手に伝えて、遊技者が手で音に基づく振動を体感可能となっており、ボディソニックの一種となっている。なお、本実施形態では左側の空間後面部１７０がエンクロージャー１５７によって覆われていないが、エンクロージャー１５７が左側に延出した状態に設けられ、その延出した部分が左側の空間後面部１７０を後ろから覆っても良い。
【００５６】
一方、裏面カバー１６２の左右方向における中央部であってスピーカ取付部１７１の上には、通気開口部１７４が形成されている。この通気開口部１７４は、取付枠体１５９と裏面カバー１６２との間のスペースから裏面カバー１６２の裏面側まで連通している。一方、取付盤１３１の左右方向における中央部には、ファン開口部１３９（図６、図７等に図示）が形成されており、裏面カバー１６２が取付盤１３１に取り付けられた場合には、ファン開口部１３９が通気開口部１７４と前後に重なる位置にある。取付盤１３１の裏面であってファン開口部１３９と前後に重なる位置には、後述する送風ファン４２０（図６、図７等に図示）が配設されている。この送風ファン４２０は、裏面カバー１６２と取付枠体１５９との間のスペースからファン開口部１３９及び通気開口部１７４を通じて取付盤１３１の後ろ側へ送風するものである。このスペース内にタッチパネル表示ユニット１５１の背面部が配置されているので、送風ファン４２０によってタッチパネル表示ユニット１５１が空冷される。
【００５７】
裏面カバー１６２を前方から見た場合、裏面カバー１６２のうち通気開口部１７４のすぐ左方の位置には、配線用開口部１７５が形成されている。一方、取付盤１３１のうち配線用開口部１７５と前後に重なる位置には、開口部（図示略）が形成されている。その開口部及び配線用開口部１７５には、後述する各種基板（演出制御基板５０、遊技制御基板２０、発射制御基板６３、電源基板７１、第１枠制御基板８１、第２枠制御基板８２）からハンドルタッチ検出部材１５２，１５２、タッチパネル表示ユニット１５１、発射スライドボリューム１５３及び見せ球装飾部１５４までの配線群が通っている。
【００５８】
なお、取付枠体１５９は空間形成部１６３，１６３及び載置部１６４，１６４と一体に形成したものであるが、取付枠体１５９、空間形成部１６３，１６３及び載置部１６４，１６４のうち少なくとも何れか１つを他と別体に形成し、これらをネジなどにより組み付けることにより取付枠体１５９を構成しても良い。
【００５９】
そして、図１〜図７に示すように、以上のような封入球式遊技機１００において、前面枠本体１３０の開口部に嵌め込まれた遊技盤１の前面側の遊技領域１ａにおいて遊技が行われることになる。
すなわち、封入球式遊技機１００は、遊技盤１のガイドレール２で囲まれた遊技領域１ａ内に遊技球（打球；遊技媒体）を発射して遊技を行うものであり、該遊技領域１ａには、図１に示すように、普図始動ゲート６，６、この普図始動ゲート６，６を遊技球が通過して普図変動表示ゲームが未処理となっている未処理回数を表示する普図始動記憶表示器（図示略）、普通図柄（普図）の変動表示ゲームを表示する普図変動表示器（図示略）、普通変動入賞装置９、この普通変動入賞装置９に遊技球が入賞して特図変動表示ゲームが未処理となっている未処理回数を点灯表示する特図始動記憶表示器（図示略）、特別図柄（特図、識別情報）の変動表示ゲームの表示等を行う変動表示装置４、特別変動入賞装置５、一般入賞口８，…、風車と呼ばれる打球方向変換部材（図示略）、多数の障害釘（図示省略）などが設けられている。
【００６０】
なお、本発明の封入球式遊技機１００の遊技盤１においては、遊技領域１ａをその下端部まで流下しても入賞しなかった遊技球を遊技領域１ａの下端部において遊技盤１の裏面側に導くアウト穴が設けられておらず、その代わりに遊技盤１の前面で遊技領域１ａを囲むガイドレール２が、遊技領域１ａの下端部で設けられていない構成、すなわち、ガイドレール２の遊技領域１ａの下側を囲む部分に、切欠部が設けられる構成となっており、入賞しなかった遊技球は、遊技盤１の下端部の中央部分で、遊技盤１の前面側の遊技領域１ａからそのまま遊技領域１ａの外側（下側）に流下する構成となっている。すなわち、アウト球は、遊技領域１ａから遊技盤１の裏面側に移動することで、遊技領域１ａから排出されるのではなく、そのまま遊技盤１の前面側で遊技領域１ａの下側に流下することで遊技領域１ａから排出される。
【００６１】
前記普通変動入賞装置９は左右一対の開閉部材を具備し、この開閉部材は、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置９に遊技球が流入し易い状態（遊技者にとって有利な状態）に変化されるようになっている。
この普通変動入賞装置９は、特図の始動入賞口も兼ねている。すなわち、普通変動入賞装置９の内部（入賞領域）に備えられた特図始動センサ（図示略）により遊技球を検出することに基づき始動条件が成立し、特図の変動表示ゲームが開始されるようになっている。
【００６２】
また、普図始動ゲート６，６内には、該普図始動ゲート６，６を通過した遊技球を検出するための普図始動センサが設けられている。
そして、遊技領域１ａ内に打ち込まれた遊技球が、普図始動ゲート６，６内を通過すると、普図変動表示器において普図の変動表示ゲームが行われる。
ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。
この普図の変動表示ゲームの結果、普図変動表示器における停止表示が特別の結果態様となれば、普図の当たりとなって、普通変動入賞装置９の開閉部材が所定時間（例えば、０.５秒間）上述のように開放される。これにより、普通変動入賞装置９に遊技球が入賞
しやすくなり、特図の変動表示ゲームの始動が容易となる。
【００６３】
また、特図の変動表示装置４は、例えば、図６等に示す液晶ディスプレイ４１を備え、表示内容が変化可能な表示画面４２を有している。この表示画面４２における表示内容は、表示制御手段としての機能を有する演出制御装置となる演出制御基板５０（サブ基板、盤用演出基板）により制御されるようになっている。
そして、遊技領域１ａ内に打ち込まれた遊技球が特図の始動口を兼ねる普通変動入賞装置９へ進入して始動条件が成立することに基づき、表示画面４２にて複数種類の識別情報（例えば、数字、記号、キャラクタ図柄など）を変動表示させる特図の変動表示ゲームを実行可能となっている。なお、特図の変動表示ゲームは、表示画面４２において、複数種類の識別情報を所定時間変動表示させることにより行う。
そして、この特図の変動表示ゲームの結果として、表示画面４２の表示態様が特別結果態様（例えば、「７，７，７」等のゾロ目数字の何れか）となった場合には、大当たりとなって特別遊技状態（いわゆる、大当たり状態）となる。
【００６４】
ここで、特別変動入賞装置５は、上端側が手前側に倒れる方向に回動して開放可能になっているアタッカー形式の開閉扉によって開閉される大入賞口を備えていて、特別遊技状態中は、大入賞口を閉じた状態から開いた状態に変換することにより大入賞口内への遊技球の流入を容易にさせるサイクル遊技が、所定回数（所定ラウンド数）を限度に行われる。
また、大入賞口の内部（入賞領域）には、該大入賞口に入った遊技球を検出するためのカウントセンサと、大入賞口に入った遊技球のうち継続入賞領域（Ｖ入賞領域）に流入した遊技球を検出するための継続センサが配設されている。
なお、各一般入賞口８，…の内部（入賞領域）には、該入賞口８，…に入った遊技球を検出するための入賞口センサが配設されている。
【００６５】
ここで、遊技領域１ａ内に打ち込まれた遊技球が、一般入賞口８、普通変動入賞装置９、特別変動入賞装置５の大入賞口等の入賞口の何れかに流入して入賞が発生すると、該入賞した遊技球が各入賞口のセンサにより検出され、該検出に基づき、各入賞口に対応して設定された所定の賞球数が、上述の遊技球数（持球数）のデータに加算される。
【００６６】
従って、特別遊技状態中に上記のサイクル遊技を行うことにより、遊技者は高い遊技球数（特定の遊技価値）の獲得機会を得る。
すなわち、封入球式遊技機１００はパチンコ遊技機として、特図変動表示ゲームの結果、予め定められた特別結果態様となった場合に（大当りとなった場合に）、遊技者に特定の遊技価値を付与可能な特別遊技状態を発生可能に構成されている。
【００６７】
また、前記遊技盤１の裏面側には、図３及び図６に示すように、前記液晶ディスプレイ４１の後側にボックス５１に納められた状態で前記演出制御基板５０が配置され、その下側にボックス２１に収納された状態で遊技を制御する遊技制御装置となる遊技制御基板２０が配置されている。遊技制御装置は、遊技球の入賞をセンサで検知した場合に、後述する枠制御装置へ入賞（賞球数）を示す信号を出力するとともに、普図始動ゲート６，６を遊技球が通過したのをセンサが検知した場合に、普図の変動表示ゲームの制御を行うとともに、普図の変動表示ゲームの当り外れの判定の制御を行う。そして、遊技制御装置は、普図の変動表示ゲームが当りとなった場合に、普通変動入賞装置９を作動させる制御を行う。また、遊技制御装置は、普通変動入賞装置９に遊技球が入賞した場合に特図の変動表示ゲームの制御を前記演出制御装置を介して行う。すなわち、遊技制御装置は、演出制御装置に変動表示装置４の表示制御を行わせるとともに、大当りと外れの判定の制御を行う。
なお、遊技盤１に、遊技に係わるセンサやソレノイドや表示装置等が設けられるとともに、これらを制御する遊技制御装置や演出制御装置が設けられているので、遊技盤１を変更することにより、封入球式遊技機１００の遊技内容を変更することが可能である。
【００６８】
また、前面枠本体１３０の遊技盤１が取り付けられる開口部の下側となる前面枠本体１３０の下部は、その前面側に上述の取付枠体１５９を有する発射操作ユニット１５０が取り付けられるとともに、図４、図６，図７に示すように、その裏面側に遊技球を発射するための発射装置６１及び発射レール６２等を備えた発射ユニット６０が取り付けられる取付盤１３１となっている。
取付盤１３１を備える前面枠本体１３０は、各種部材の取付部材やリブ等が形成されたものである。
なお、取付盤１３１と前面枠本体１３０は、樹脂により一体成型されていても良いし、取付盤１３１が前面枠本体１３０から取り外せるように別体品としても良い。
【００６９】
図３、図４、図６，図７に示すように、前面枠本体１３０下部の取付盤１３１の裏面側には、上述の発射ユニット６０が備えられるとともに、発射装置６１を制御する発射制御装置となる発射制御基板６３（ボックス６３ａ内に配置）、発射装置６１により遊技領域１ａに発射された遊技球を回収して再び発射装置６１に供給する封入球循環ユニット２００（封入球循環装置）、封入球式遊技機１００内の各装置に電力を供給する電源基板７１（ボックス７１ａ内に配置）、遊技盤１以外の前面枠１２０に備えられた装置の制御を行う第１枠制御基板８１（ボックス８１ａ内に配置）及び第２枠制御基板８２（ボックス８２ａ内に配置）が取り付けられている。これら第１枠制御基板８１及び第２枠制御基板８２が枠制御装置として機能し、遊技盤１に取り付けられた装置を除く、前面枠１２０の例えば、外部アピール装飾ランプ１１，…、タッチパネル表示ユニット１５１、球装飾部１５４、封入球循環ユニット２００、外部とのデータの通信装置等を制御する枠制御装置となる。なお、第１枠制御基板８１は、遊技制御基板２０及び演出制御基板５０からの制御に基づいて第２枠制御基板８２及び発射制御基板６３を制御するようになっている。
なお、取付盤１３１を有する前面枠本体１３０は、各部材の取付位置に各部材を取り付けるための構造が設けられており、例えば、取り付けられた部材を囲むように補強用のリブが形成されていたり、ビス等による部材の取り付けのためのボス等が形成されたりする。
【００７０】
発射ユニット６０は、取付盤１３１の裏面に取り付けられる取付プレート６４と、取付プレート６４の裏面側にレール取付ベース６５を介して取り付けられる発射レール６２と、発射レール６２上の遊技球を打撃して遊技球を発射させる発射杵６６等を備えた発射装置６１とを備える。
そして、発射レール６２は、遊技球を発射レール６２に沿って案内するように断面Ｖ字状に形成され、遊技盤１より下で、遊技盤１の前面側の遊技領域１ａの真下となる位置に配置されるとともに、遊技領域１ａの下部の例えば左側で発射された遊技球をガイドするようにガイドレール２が外側と内側とに二重に配置された部分の下端部に発射装置６１に打撃された遊技球を導くように、封入球式遊技機１００の左右方向に沿って左右に延在するとともに、封入球式遊技機１００の前から見て右端部より左端部が高くなるように斜めに配置されている。すなわち、発射レール６２はその長手方向を遊技領域１ａに向けて傾斜した状態で取付盤１３１の裏面に設けられている。また、発射レール６２は、上述の発射レール６２の配置に沿って前から見て右端部より左端部が高くなるように取付プレート６４に形成されたリブ状のレール取付ベース６５上に載った状態で取付プレート６４にビス等により固定されている。
【００７１】
なお、発射ユニット６０は、基本的に全体がほぼ金属製となっており、金属製の発射レール６２には、その背面側に後述する導電性プレートとしての金属プレート４１０をアースするためのアース配線４３０の末端を接続する接続部としてネジ孔（図示略）が形成されるとともに、アース配線４３０を接続する接続端子としてのネジ６２２がネジ孔に螺合されている。また、取付プレート６４も金属製とされ、発射レール６２に接触している。
【００７２】
図４、図１８に示すように、発射装置６１は、取付盤１３１とこの取付盤１３１に取り付けられた取付プレート６４との間に形成された収納空間に収納されるように、取付プレート６４の前面側に取り付けられた図示しない電気的駆動源としてのモータ（ステッピングモータ）と、このモータに接続されて回転駆動されることにより、遊技球を打撃して遊技球を発射する発射杵６６と、発射杵６６の回転角度を規制するストッパ部材６７と、発射レール６２上に後述するように封入球循環ユニット２００から供給された遊技球を、発射レール６２の下端部上の発射杵６６により打撃可能な所定位置に停止させる球位置決め部材６８とを備える。
発射杵６６は、取付プレート６４の背面側に回動自在に軸支されるとともに、取付プレート６４の前面側に配置されたモータに接続される回転軸部６６１と、その回転軸部６６１からほぼ半径方向に僅かに湾曲した状態で延出するアーム部６６２と、アーム部６６２先端からほぼ回転方向（半径方向にほぼ直交する方向）に延出する丸棒状の杵部６６４と、該杵部６６４が内部に挿入された状態で杵部６６４に取り付けられて杵先６６６となるコイルスプリングと、回転軸部６６１からアーム部６６２と逆方向に延出するストッパ係合部材６６５とを備える。
また、図１８に示すように、発射杵６６の回転軸部６６１は、発射レール６２の発射位置６９よりも上方に設けられている。
【００７３】
ストッパ部材６７は、取付プレート６４に固定されるとともに、遊技球打撃後に打撃方向に回転する発射杵６６のストッパ係合部材６６５に面で当接して発射杵６６の遊技球打撃後の打撃方向への回転を規制する略直方体形状で弾性変形可能な低反発性素材からなる第１ストッパ６７１と、遊技球打撃後に原点角度に戻るように逆回転（打撃方向の逆方向）する発射杵６６が原点角度となった際にアーム部６６２に当接して発射杵６６を原点角度で止める円板状で弾性変形可能な低反発性素材からなる第２ストッパ６７２とを有するとともに、これら第１ストッパ６７１及び第２ストッパ６７２を取付プレート６４に固定するストッパ固定部６７３を有する。
【００７４】
これにより、ストッパ部材６７は、発射杵６６を、アーム部６６２が第２ストッパ６７２に当接した状態からストッパ係合部材６６５が第１ストッパ６７１に当接した状態まで打撃方向及び戻り方向に回転自在とされている。
なお、発射杵６６は、図示しないモータとしてのステッピングモータにより所定の角度だけ回転するように制御されているが、ストッパ部材６７により確実に停止するようになっている。
また、発射杵６６は打撃方向には高速に回転するので、打撃方向の回転を規制する第１ストッパ６７１は、ストッパ係合部材６６５と、互いに面接触可能なように、それぞれの接触面が平面状となっている。
一方、第２ストッパ６７２は、円板状で外面が円周面となるので、仮に弾性変形しないとするとアーム部６６２に線接触することになり、第２ストッパ６７２の狭い範囲がアーム部６６２と接触することになる。しかし、第２ストッパ６７２は、その円板状の形状の円の中心を軸として回転自在にストッパ固定部６７３に取り付けられている。
そして、第２ストッパ６７２は、アーム部６６２との接触等により回転し、アーム部６６２との接触位置が変化するようになっており、毎回第２ストッパ６７２の外周面の同じ部分が毎回アーム部６６２と接触することにより短期間で劣化するのを防止している。
【００７５】
球位置決め部材６８は、発射レール６２の後端部上に臨むように形成された封入球循環ユニット２００の後述の供給導出口２４７の後側（発射レール６２の傾斜下端部）に配置され、供給導出口２４７から発射レール６２上に供給された遊技球が発射レール６２の傾斜方向となる後側に転動するのを規制して、発射レール６２の後端部に発射まで遊技球を留めておくようになっている。また、球位置決め部材６８は、発射レール６２の後端部上で、発射レール６２から遊技球の直径より僅かに短い間隔を開けて配置されており、球位置決め部材６８の前側（発射レール６２の傾斜下端部）に遊技球を抑えた状態で、球位置決め部材６８と発射レール６２との間の空間を発射杵６６の杵部６６４及び杵先６６６が通って遊技球を打撃するようになっている。そして、発射レール６２の後端部（傾斜下端部）上の球位置決め部材６８により遊技球が保持される位置が遊技球を発射する発射位置６９となる。
【００７６】
発射ユニット６０においては、発射装置６１及び発射レール６２の前側が取付プレート６４により閉塞され、取付プレート６４が取り付けられた取付盤１３１の取付プレート６４の周囲に形成されたリブにより、発射レール６２を通って発射される発射球（遊技球）の経路を除いた上下左右が略閉塞されているが、発射ユニット６０の裏面側（後方側）は、開放された状態となっている。しかし、取付盤１３１の発射ユニット６０の裏面側には、後述するように発射ユニット６０と前後に略重なって封入球循環ユニット２００が取り付けられ、封入球循環ユニット２００の前面（前面壁）により発射ユニット６０の発射レール６２及び発射装置６１の部分の後方側がほぼ覆われてほぼ閉塞された状態となっている。
【００７７】
また、遊技領域１ａには、上述の外側と内側との二つのガイドレール２，２からなる発射球の誘導路となる部分の下端部に発射球の導入口であり、かつ、発射球が遊技領域１ａを流下せずにファール球として戻った場合の戻り口となる発射球導入部がある。一方、図５に示すように、前面枠本体１３０の遊技盤１が取り付けられる部分の下枠となる部分、すなわち、前面枠本体１３０の取付盤１３１の上側縁部には、ガラス枠１４０の後方側のガラス板１４１の裏面と、遊技盤１の前面との間の遊技領域１ａの下部を閉塞する底壁部１３４が形成されている。そして、前面枠本体１３０の底壁部１３４の上述の遊技領域１ａの発射球導入部に対向する部分に、発射球通過口１３５が設けられている。
【００７８】
そして、取付盤１３１の発射球通過口１３５の下では、発射球通過口１３５の裏面側から見て左側の側縁のほぼ真下に、発射球通過口１３５から下に向かって間隔を開けて、発射レール６２の先端より少し先（裏面からみて右側）にあるレール取付ベース６５の垂直な先端面が配置されている。また、図４に示すように、発射球通過口１３５の裏面側から見て右側の側縁のほぼ真下には、発射球通過口１３５の右側縁で底壁部１３４と一体に接合されて形成された案内壁１３６が設けられている。案内壁１３６は、発射レール６２とほぼ同じ傾斜角で傾斜しており、その下側端部には、レール取付ベース６５の先端面と対向して垂直に形成された仕切壁１３７が案内壁１３６に連続して形成されている。
【００７９】
そして、発射レール６２及びレール取付ベース６５と、案内壁１３６及び仕切壁１３７との間が、ファール球を発射レール６２側に戻らせることなく、封入球循環ユニット２００の後述するファール球回収部２５７を介して封入球循環ユニット２００に導入する球流入口１３８となる。なお、球流入口１３８は、その上方が前記発射球通過口１３５となっており、遊技領域１ａの外側と内側のガイドレール２の間の発射球導入部と連通し、後方側が封入球循環ユニット２００の後述するファール球回収口２５１（図１８に図示）と連通している。
【００８０】
また、上述の案内壁１３６は、発射レール６２の上面の延長線より低い位置に配置されており、戻ってきたファール球が接触した場合に、発射レール６２の上面より低い位置にファール球を案内して、ファール球が発射レール６２上に載らないようにしている。基本的には、ファール球は、発射レール６２の先端部が、発射球通過口１３５と上下に重ならない位置にあることで、発射レール６２の前側に落下するようになっている。
【００８１】
封入球循環ユニット２００は、図３、図４、図６、図７、図１３から図１９に示すように、遊技領域１ａに発射された遊技球（アウト球、セーフ球を含み、ファール球を除く）を回収する回収口２１１を有する回収部材２１０と、回収口２１１から回収された遊技球を検知する回収球センサ２１２と、回収口２１１から回収球センサ２１２まで遊技球を流下する導入傾斜部２１３を有する導入経路２８０と、回収球センサ２１２を通過した遊技球を発射装置６１に案内する循環流路２２０と、循環流路２２０の下流側の一部分であり、正常に遊技球を順次発射している状態で遊技球が溜まった状態となる待機流路２２１とを備える。
【００８２】
また、封入球循環ユニット２００は、ファール球回収手段２５０として、発射装置６１により上述の内側のガイドレール２及び外側のガイドレール２との間に発射されたにも係わらず、再び発射装置６１側に向かって戻ってしまったファール球を回収するファール球回収口２５１と、回収されたファール球を検知するファール球センサ２５３と、ファール球回収口２５１から回収されたファール球（遊技球）を循環流路２２０に流下させるファール球流路２５２とを備える。
【００８３】
また、封入球循環ユニット２００は、待機流路２２１を遊技球の発射毎に移動する遊技球の付着物を除去する付着物除去手段４００と、循環流路２２０内の球を抜く球抜き装置２３０と、発射装置６１の発射レール６２の下端部（遊技球の発射位置６９）に臨む供給導出口２４７に遊技球の発射のタイミングに応じて順次遊技球を送る供給装置としての球送り装置２４０とを備える。
なお、球送り装置２４０と、後述する供給流路２４５が、発射装置６１の遊技球の発射位置６９に遊技球を供給する供給装置となる。
【００８４】
また、封入球循環ユニット２００は、封入球循環ユニット２００内に通常循環使用される遊技球以外に補給用の遊技球を貯留し、遊技中に循環する遊技球が減少した場合に補給する球補充装置２６０と、遊技球の入れ替え用の所定数の遊技球（例えば、３０球で上述の補給用の遊技球を含む）が収納された球交換カセット（図示略）を取り付けるとともに、球交換カセット内の遊技球を封入球循環ユニット２００内に供給するための球交換カセット取付部２７０とを備える。
また、封入球循環ユニット２００の主要部は、図１６等に示すように、主要部の前面側を構成する前壁部材（前面壁）３１０と、主要部の裏面側を構成する後壁部材３２０とから概略箱状に形成され、主要部の内部に上述の導入経路２８０、循環流路２２０（待機流路２２１を含む）、ファール球流路２５２とが形成されている。なお、基本的に前壁部材３１０側に上述の遊技球の経路を構成する部材が形成されるとともに、センサ、ソレノイド等を取り付ける部材が形成され、後壁部材３２０には、各部材の取付を補助する部材や、封入球循環ユニット２００の外周を囲う外周壁３２６を有する。また、前壁部材３１０及び後壁部材３２０は、それぞれ透明な樹脂により一体成型されており、封入球循環ユニット２００内の遊技球や、封入球循環ユニット２００の前側の遊技球や発射ユニット６０等を透視可能となっており、前面枠１２０の裏面側から遊技球の詰まり等を確認可能となっている。また、前壁部材３１０と後壁部材３２０とは、着脱自在に接合されている。
【００８５】
また封入球循環ユニット２００はその下端部に、前面枠本体１３０の取付盤１３１の取付プレート６４の取付位置より下方となる所定部位に設けられた左右の取付部１３２，１３２（図３に図示）に、着脱可能かつ回動可能に接続する左右の接続部材２０１，２０１を備えており、図１９に示すように、封入球式遊技機１００の左右方向に設定された回転軸回りに回転可能となっている。そして、封入球循環ユニット２００は、図３に示すように、封入球式遊技機１００の裏面（取付盤１３１の裏面）に沿った垂直な状態（使用状態）から、図４に示すように、前記接続部材２０１，２０１を中心に上端が後方側に倒れるように回動して略水平な状態（メンテナンス状態）に回動可能となっている。
また、封入球循環ユニット２００の接続部材２０１，２０１は、取付盤１３１の取付部１３２，１３２の軸となる突起が回動可能に挿入される筒状の形状を有するとともに、筒状部分にはスリットが形成され、スリット２０１ａ，２０１ａ（図１４に図示）から軸を出入可能とされることにより、接続部材２０１，２０１が取付部１３２，１３２から着脱自在とされ、封入球循環ユニット２００を前面枠本体１３０の取付盤１３１から取り外し可能（着脱自在）となっている。
【００８６】
後壁部材３２０の左右両端部には、後壁部材３２０の前側に前壁部材３１０を取り付けた状態で、後壁部材３２０を着脱自在に取付盤１３１に取り付ける取付部材２０３，２０３が設けられている。この取付部材２０３，２０３を取付盤１３１から取り外すことで封入球循環ユニット２００を後側に倒すように回動自在となる。
【００８７】
また、封入球循環ユニット２００は、図６及び図７に示すように、封入球式遊技機１００の裏面側となる前面枠本体１３０の裏面側に取り付けられる。
なお、前面枠本体１３０の下部となる取付盤１３１は、その主要部となるほぼ垂直な平板部分が、前面枠本体１３０に固定された遊技盤１より前となるように構成されており、取付盤１３１の裏面に取り付けられる上述の発射装置６１等を有する発射ユニット６０が遊技盤１より前面側の遊技領域１ａの略真下に配置されるようになっている。
そして、封入球循環ユニット２００は、取付盤１３１に取り付けられた発射ユニット６０と前後に重なるように、発射ユニット６０の後側に配置されて取付盤１３１に取り付けられる。そして、封入球循環ユニット２００は、取付盤１３１に取り付けられた状態で前面枠本体１３０に取り付けられた遊技盤１の下方位置（この例では略真下となる直下方向）に配置されるようになっている。
【００８８】
前記回収部材２１０は、封入球循環ユニット２００の最も上の部分となる上端部に形成される。そして、回収部材２１０は、その前部が、遊技盤１の前面側の遊技領域１ａの下から入賞することなく流下した遊技球であるアウト球を回収可能となるように、遊技盤１の下から遊技盤１の前面側の遊技領域１ａの下側のガイドレール２の上述の切欠部の下側に延設されている。また、回収部材２１０は、その後部が、遊技盤１の裏面側を流下して遊技盤１の下側に排出される入賞した遊技球であるセーフ球を回収可能となるように、遊技盤１の下から遊技盤１の裏面側のセーフ球の排出経路（図示略）の下まで延設されている。
すなわち、回収部材２１０は、その前後幅が、遊技盤１の厚みより少なくとも遊技球の直径の２倍以上長く、回収部材２１０は、遊技盤１の前方のガラス枠１４０の後側のガラス板１４１の裏面から遊技盤１の後方の入賞したセーフ球の排出経路の後端までの範囲で配置される。また、回収部材２１０の左右幅は、遊技盤１の下側のガイドレール２の切欠部の幅となっており、回収部材２１０は、ガイドレール２の切欠部の右端から左端までの範囲で配置される。なお、ガイドレール２の切欠部の左右範囲内に、遊技盤１の裏面側のセーフ球の図示しない排出経路の出口が配置される。
【００８９】
なお、封入球循環ユニット２００の回収部材２１０より下の本体部分の前後幅は、遊技球の直径より少し広いものとされているが、遊技盤１の厚み（前後幅）よりは、狭いものとされており、遊技盤１の下にある封入球循環ユニット２００の本体部に対して、回収部材２１０は、前と後にそれぞれ延出した状態となっている。
また、封入球循環ユニット２００は、取付盤１３１の裏面側で発射ユニット６０より後に配置されているが、取付盤１３１の遊技盤１の下側の回収部材２１０が配置される部分には、回収部材２１０の形状に対応した間隙部１３３が形成されており、上述のように下端部を中心に回転自在な封入球循環ユニット２００を立てた状態に取付盤１３１に取り付けた際に、封入球循環ユニット２００の回収部材２１０の前部が間隙部１３３に挿入されて、回収部材２１０の前部が遊技盤１より前に延出するようになっている。
【００９０】
また、図６、図７、図１３及び図１６に示すように、回収部材２１０は、平面視して封入球式遊技機１００の左右方向に沿って長尺な矩形状であり、その周囲が略垂直な囲い壁２１４となっている。また、回収部材２１０の（囲い壁２１４内部の）前後の中央部には、右端部を除いて左右に延在し、回収部材２１０内に回収された遊技球を封入球循環ユニット２００内の回収球センサ２１２（封入球循環ユニット２００内部）に導く導入傾斜部２１３を有する導入経路２８０となっている。なお、導入傾斜部２１３は、回収部材２１０で回収された遊技球を回収球センサ２１２に導く導入経路２８０の底部となる部材である。
そして、回収部材２１０の囲い壁２１４に囲まれて上方に開放された状態となった部分がアウト球とセーフ球を回収する回収口２１１となっている。また、回収口２１１の遊技盤１前面側の下となる前部がアウト球を回収するアウト球回収口２１５とされ、遊技盤１の裏面側の下となる後部がセーフ球を回収するセーフ球回収口２１６となっている。
【００９１】
アウト球回収口２１５下方の回収部材２１０前部の底部となる部分は、アウト球回収口２１５に流下して回収されたアウト球を回収部材２１０の前後の中央部となる導入傾斜部２１３に導くように後に向かって下り傾斜する後方傾斜部２１７とされている。また、セーフ球回収口２１６下方の回収部材２１０後部の底部となる部分は、セーフ球回収口２１６に流下して回収されたセーフ球を回収部材２１０の前後の中央部となる導入傾斜部２１３に導くように前に向かって下り傾斜する前方傾斜部２１８とされている。
なお、図１３〜図１５に示すように、回収部材２１０の後方から向かって右の端部は、前後方向に傾斜することなく、後から向かって右（端）から左（中央側）にいくにつれて低くなるように傾斜するとともに、後述するように導入傾斜部２１３の傾斜下側端部の先に配置された回収球センサ２１２の遊技球が通過する孔２１２ａ上を覆うように配置されており、回収球センサ２１２の孔２１２ａに遊技盤１側から直接的（導入傾斜部２１３を流下せず）に遊技球が流入するのを防止している。なお、回収球センサ２１２の孔２１２ａに直接的に流入する遊技球があると、導入傾斜部２１３を流下してから孔２１２ａに流入する他の遊技球との関係（衝突、接触等）により、球詰まりが発生しやすくなるので、遊技球を回収球センサ２１２より上流側の導入傾斜部２１３上に導くようになっている。また、上述のような構成により回収部材２１０の底部の後から向かって右端部が高くなることにより、後方から向かって右上がりに形成されて右の端部が高くなった発射ユニット６０の上端部と回収部材２１０の底部の右端部とが干渉しないようになっている。
【００９２】
また、図６、図７、図１３及び図１６に示すように、回収部材２１０において、後方傾斜部２１７と前方傾斜部２１８との間に、導入傾斜部２１３が形成されている。そして、導入傾斜部２１３は、後方傾斜部２１７及び前方傾斜部２１８より一段低くなっており、回収部材２１０の下側の封入球循環ユニット２００の本体部分内に配置されている。従って、回収部材２１０の後方傾斜部２１７と前方傾斜部２１８との間は開口した状態となっており、この開口部分が回収部材２１０で回収されたアウト球及びセーフ球を合流（集合）させて封入球循環ユニット２００の内部（本体部分内部）に流下させる遊技球導入口２１９となる。なお、遊技球導入口２１９は、導入傾斜部２１３上に有り、回収部材２１０の前後方向の中央部に形成されていることになる。
【００９３】
図１４〜図１６に示すように、回収球センサ２１２は、例えば、周知のパチンコ球通過センサスイッチであり、遊技球が通過する孔２１２ａを備え、この孔２１２ａをパチンコ球が通過した際にＨＩＧＨもしくはＬＯＷの信号を出力するものである。また、前壁部材３１０において、導入傾斜部２１３の下流側の末端から下方に遊技球が流下可能な間隔を開けて形成されたセンサ取付部３３０に、後部が固定され、前記孔２１２ａが形成された前部をセンサ取付部３３０から上述の導入傾斜部２１３の末端まで延出している。
【００９４】
そして、回収球センサ２１２は、その孔２１２ａが導入傾斜部２１３の傾斜下側の端部から遊技球が流下する位置に配置されており、循環流路２２０の上流側端部であるとともに、ファール球流路２５２の底部となるファール球傾斜部２５５の下流側端部である後述の合流部２５４上に、導入傾斜部２１３の傾斜下側の端部から流下する遊技球を検知するようになっている。また、センサ取付部３３０が導入経路２８０の末端側を閉塞するようになっており、回収球センサ２１２の孔２１２ａが導入経路２８０から循環流路２２０への遊技球の導入口となっている。
【００９５】
循環流路２２０は、その底部として、上下三段に前壁部材３１０から後方側に壁面状（板状）に延出された以下の部材を有する。すなわち、循環流路２２０は、その底部となる部材として、上述のファール球流路２５２の下流側端部となり、ファール球流路２５２を流下するファール球、球補充装置２６０から循環流路２２０に補充される遊技球である補充球、上述のように導入経路２８０から回収球センサ２１２を通過して流下する回収球の三種類の遊技球が合流する合流部２５４と、封入球式遊技機１００の裏面側から見て右から左に下り傾斜する合流部２５４（ファール球流路２５２）の下側で、裏面側から見て左から右に下り傾斜する流下傾斜部２２２と、流下傾斜部２２２の下側で、裏面側から見て右から左に傾斜して球送り装置２４０に至る待機傾斜部２２３とを有する。
【００９６】
なお、循環流路２２０のうちの流下傾斜部２２２の中央部から下側の部分と、待機傾斜部２２３上には、封入球式遊技機１００の遊技中（遊技球を順次発射し、遊技領域１ａに数個以上の遊技球が流下している状態）及び非遊技中（遊技球を発射していない状態）に係わらず遊技球が溜まった状態とされ、遊技球の発射毎に溜まった遊技球が順次遊技球の直径となる距離だけ下方に移動するようになっており、循環流路２２０の遊技中に常時遊技球が待機した状態となる部分となる下流側の部分が前記待機流路２２１となる。
なお、待機流路２２１を含む循環流路２２０は、上下複数段に渡って形成されるが、各段においては、封入球式遊技機１００の左右方向に沿って延在し、遊技球を左右方向に傾斜に沿って流下させ、下の段に遊技球を導出するようになっている。
【００９７】
また、待機流路２２１の上流側端部となる流下傾斜部２２２の下流側部分の上、すなわち、前壁部材３１０のファール球傾斜部２５５の上流部分の下には、球補充装置２６０の作動を制御する際に用いられる球不足検出センサ２６４を取り付けるための近接センサ取付部３１９が設けられて、これに球不足検出センサ２６４が取り付けられている。なお、球不足検出センサ２６４は、周知の近接センサスイッチで、金属である遊技球が近接している状態で、遊技球が存在していることを示す信号を出力している。すなわち、待機流路２２１に正常な状態の遊技球が滞留していれば、球不足検出センサ２６４は、遊技球が待機流路２２１の球不足検出センサ２６４の直下となる部分に存在し、球不足になっていないことを示すＨＩＧＨもしくはＬＯＷの信号を出力する。
【００９８】
また、合流部２５４を有するファール球傾斜部２５５及び流下傾斜部２２２は、ほぼ同じ長さで左右に僅かにずれた状態で上下に重なって配置されるが、前記待機傾斜部２２３は、これらファール球傾斜部２５５及び流下傾斜部２２２より長く、例えば、これらの約２倍の長さとされている。そして、待機傾斜部２２３の上流側の半分（部分）が上下にファール球傾斜部２５５及び流下傾斜部２２２に重なった状態とされ、待機傾斜部２２３の下流側の半分（部分）がファール球傾斜部２５５及び流下傾斜部２２２と上下に重ならず、待機傾斜部２２３の下流側部分の上には、循環流路２２０が無い状態とされている。そして、待機傾斜部２２３の下流側部分の上には、球補充装置２６０の後述の球補充ソレノイド２６３と、球送り装置２４０の後述の球送りソレノイド２４４が配置されている。
このような循環流路２２０の配置により、封入球循環ユニット２００のスペース効率が高められ、封入球循環ユニット２００の小型化が図られている。
【００９９】
なお、循環流路２２０の長さは、例えば、球補充装置２６０に貯留される補充球を含めずに、封入球式遊技機１００内で循環する遊技球の全てを貯留できるだけの長さとされており、遊技球の発射を止めた状態で、循環流路２２０内に循環使用される遊技球が丁度収まった状態となる。また、循環使用される遊技球の個数は、遊技球を順次発射した際に、遊技球の回収が間に合わずに、遊技の発射ができない状態となることがない個数（例えば、２５個）とされている。従って、循環流路２２０の長さは必要十分な長さとされている。なお、遊技領域１ａでの球詰まり等により遊技球が不足した場合には、球補充装置２６０により遊技球が補充される。
【０１００】
また、前記導入経路２８０及び循環流路２２０や待機流路２２１やファール球流路２５２は、その前側が前壁部材３１０に閉塞され、その後側が後壁部材３２０により閉塞された状態となっており、それらの前後幅が遊技球の直径より僅かに長いものとされ、遊技球を一列にして収納可能とされるとともに、前後に遊技球が重なることなく、遊技球を流下させるようになっている。また、導入経路２８０の導入傾斜部２１３上は、遊技球導入口２１９として開放された状態となっているが、ファール球流路２５２のファール球傾斜部２５５上は、ファール球が導入される上流端部を除く傾斜上側の部分の上に遊技球の直径より僅かに広い間隔をあけてセンサ取付部３３０が配置され、ファール球流路２５２の傾斜下側の部分である合流部２５４においては、補給用の遊技球及び回収球が合流する部分より下側の部分の上に、遊技球の直径より僅かに広い間隔を開けて、球補充装置２６０の傾斜方向（傾斜角）を変換自在な球貯留板２６１が配置されている。なお、球貯留板２６１の下側の合流部２５４上には、球貯留板２６１が傾斜角を変更可能な所定の角度範囲内で傾斜角を変更しても、球貯留板２６１との間に遊技球が流下可能な間隔が保持されるようになっている。
つまり、導入傾斜部２１３、流下傾斜部２２２、待機傾斜部２２３、ファール球傾斜部２５５等を有する前壁部材３１０と後壁部材３２０が、導入経路２８０、循環流路２２０、待機流路２２１、ファール球流路２５２等の流路を構成する流路構成部材となる。
【０１０１】
また、循環流路２２０の流下傾斜部２２２上には、上端部がファール球傾斜部２５５の合流部２５４と一体に接合され、下端部が待機傾斜部２２３と一体に接合された流下天井部２２４が形成されている。流下天井部２２４は、流下傾斜部２２２との間に遊技球の直径より僅かに広い間隔をあけて、流下傾斜部２２２と同じ傾斜となるように形成されている。なお、流下天井部２２４の下端部（傾斜下側の端部）となり、流下傾斜部２２２から待機傾斜部２２３に遊技球がほぼ真下に流下する部分では、遊技球の流下経路に対応して湾曲した形状となっており、その部分で待機傾斜部２２３と一体に接合された状態となっている。
【０１０２】
また、循環流路２２０の待機傾斜部２２３上には、上端部が流下傾斜部２２２に一体に接合された待機天井部２２５が形成されている。待機天井部２２５は、待機傾斜部２２３との間に遊技球の直径より僅かに広い間隔を開けて、待機傾斜部２２３と同じ傾斜となるように形成されている。
以上のことからファール球流路２５２及び循環流路２２０においては、多くの部分で遊技球の流下方向に対して左右や上下に遊技球の直径より僅かに広い間隔が開けられた状態となっており、遊技球が左右や上下に重なって通過することがなく、遊技球が一個ずつに流下するか一列に並んで流下するようになっている。
【０１０３】
前記ファール球回収手段２５０においては、前記ファール球流路２５２の上端部の上に前記ファール球回収口２５１が備えられ、ファール球回収口２５１の下側でかつ、ファール球流路２５２の上端部の上側にファール球センサ２５３が配置されている。
ファール球回収口２５１は、封入球循環ユニット２００の前面を構成する前壁部材３１０の裏面側から見て右上端部に形成された開口であって、回収されたファール球を封入球循環ユニット２００外部から内部に導入するようになっている。また、前壁部材３１０の前面側のファール球回収口２５１の下側縁に対応する位置には、前壁部材３１０前面から前方に延出するファール球回収部２５７が備えられている。ファール球回収部２５７は、上面が後方のファール球回収口２５１に向かって下り傾斜した板状に形成されるとともに、ファール球回収口２５１に繋がる後側縁を除く周囲を囲んで上に突出した突条２５８を備えたもので、封入球循環ユニット２００を取付盤１３１にほぼ垂直な状態に取り付けた際に、取付盤１３１の球流入口１３８（図４に図示）の下部に挿入されるようになっている。そして、球流入口１３８内のファール球回収部２５７は、発射レール６２の上端部（発射方向端部）の隣で、発射球通過口１３５の真下に配置され、発射球通過口１３５を通過して流下するファール球を受けるようになっている。
【０１０４】
従って、ファール球回収手段２５０においては、遊技盤１の前面側から発射球通過口１３５を通過して遊技盤１の下側に流下したファール球がファール球回収部２５７で受けられる。そして、ファール球回収部２５７の上面に至ったファール球は、上面の傾斜に沿って後方のファール球回収口２５１から封入球循環ユニット２００内のファール球流路２５２に入り、ファール球回収口２５１の下側のファール球センサ２５３を通過し、ファール球流路２５２の底部となるファール球傾斜部２５５上に至る。そして、ファール球傾斜部２５５上の遊技球は、傾斜に沿って合流部２５４に至り、回収球と合流して上述の循環流路２２０内に至り、循環流路２２０を流下することになる。
なお、ファール球センサ２５３は、回収球センサ２１２と同様に周知のパチンコ球通過センサスイッチであり、センサ取付部３３０の回収球センサ２１２の下側に、回収球センサ２１２と逆向きに取り付けられ、ファール球センサ２５３の遊技球が通過する孔２５３ａがファール球流路２５２の上端部に配置されるようになっている。そして、回収球センサ２１２と同様にファール球を検出して信号を出力する。
【０１０５】
遊技球を封入球循環ユニットから抜き出す球抜き装置２３０は、循環流路２２０の下流側部分となる待機流路２２１の下流側端部に隣接する球送り装置２４０の後面側に設けられている。
この球抜き装置２３０は、球抜き開口部２３１と、これを開閉する板状の蓋部材２３２と、蓋部材２３２を支持、案内するリブ２３４、２３５、２３６とからなる。
【０１０６】
球抜き開口部２３１は、後壁部材３２０の移送供給部材２４３がある位置に設けられており、その大きさは、遊技球１個が通過できる程度の大きさである。
また、後壁部材３２０に設けられた球抜き開口部２３１の外面には、球抜き開口部２３１を開閉するための板状の蓋部材２３２が、左右にスライド自在に設けられており、その球抜き開口部２３１の側方には、球抜き開口部２３１の開放時にこの蓋部材２３２を格納する蓋部材格納部２３７が設けられている。
この蓋部材２３２の背面には、開閉操作をするための取っ手２３２ａが突設されている。
この蓋部材格納部２３７は蓋部材２３２の横幅以上の幅を持ち、球抜き開口部２３１の開放時に、蓋部材２３２を球抜き開口部２３１から完全に退避できるようになっている。
さらに、後壁部材３２０の外面には、球抜き開口部２３１とこれに隣接する蓋部材格納部２３７の外周に外周リブ２３４が突設されており、蓋部材２３２はこの外周リブ２３４の内側に形成されたスライド部２３３に支持される。
【０１０７】
このスライド部２３３の球抜き開口部２３１の位置と、蓋部材格納部２３７の位置には、その上下に蓋部材２３２を案内するそれぞれ一対のリブ２３５、２３６が突設されていて、蓋部材２３２はこのリブ２３５、２３６の内側（前側）をスライドするようになっている。
二対のリブ２３５、２３６の内、球抜き開口部２３１側のリブ２３５は、蓋部材格納部２３７側のリブ２３６に比べて、蓋部材２３２を案内する面の前後位置が移送供給部材２４３（前）寄りになっている。
また、蓋部材格納部２３７の前壁２３９は、球抜き開口部２３１にかけて前側に傾斜している。
これによって、蓋部材２３２は、球抜き開口部２３１を開放する位置である蓋部材格納部２３７にある位置から、球抜き開口部２３１を閉じる位置に移動する際に、リブ２３５および蓋部材格納部２３７の前壁２３９によって移送供給部材２４３（前）側に案内されて斜めに移動する。
そして、球抜き開口部２３１を閉じる位置では、蓋部材２３２の内面が後壁部材３２０の内面とほぼ同じ前後位置になる。
これにより、蓋部材２３２閉鎖時に段差が生じることが無く、球抜き開口部２３１付近での遊技球の流れを妨げない。
また、球抜き開口部２３１側の下側のリブ２３５は、その上面に球抜き開口部２３１から外側に向かって下る傾斜を有しており、球抜き時に球抜き開口部２３１から流出する遊技球を案内して、滑らかに流下させる役割も有する。
下側のスライド部２３３の、球抜き開口部２３１と蓋部材格納部２３７の境界付近には突起部２３８があって、球抜き時に蓋部材格納部２３７に格納された蓋部材２３２がこの突起部２３８の上に乗り上げるようになっている。
これによって、蓋部材２３２が押し上げられて上側のスライド部２３３に圧接するので、球抜き時の振動によって蓋部材２３２が動くことを防止でき、開放状態を維持することができる。
【０１０８】
移送供給部材２４３は後述する球送り装置２４０を構成する部材であって、左右と後方側が開放したコ字状（チャネル状）の部材である。
この移送供給部材２４３の遊技球を載置（保持）する底面板部材２４３ａは、遊技球を１個分載置可能であって、封入球循環ユニット２００の背面側から見て右から左に下るように傾斜（待機流路２２１と同じ傾斜）している。
また、底面板部材２４３ａの一部あるいは全部は、その厚さが封入球循環ユニット２００の背面側から見て、奥側から手前側にかけて薄くなっており、上面が手前側（後側）に下るように傾斜している。
つまり、底面板部材２４３ａの上面は、封入球循環ユニット２００の背面側から見て、右奥（右前）から左手前（左後）に下るように傾斜している。
また、規制壁２４１の遊技球と当接する面には、球抜き開口部２３１へ向かって遊技球が流れるようにテーパが形成されている。
これによって、球抜き開口部２３１を開放したときに、遊技球が封入球循環ユニット２００内から自然に流出する。
【０１０９】
以上のように構成される球抜き装置２３０は、封入球式遊技機１００内に封入された遊技球を係員等の外部操作により取り出すためのもので、封入球式遊技機１００のメンテナンス、遊技球の交換などのために、封入球式遊技機１００から遊技球を取り出すために用いられる。
遊技球の交換時には、蓋部材２３２をスライドさせて蓋部材格納部２３７に格納し、球抜き開口部２３１を開放して、移送供給部材２４３の底面板部材２４３ａに形成された傾斜に沿って遊技球を流出させて、封入球式遊技機１００（封入球循環ユニット２００）から外部に取り出すようになっている。
【０１１０】
図１３〜図１６に示すように、球送り装置２４０は、待機流路２２１の下流側に設けられ、待機流路２２１の傾斜により待機流路２２１上に一列に並んで待機する遊技球の荷重による遊技球の傾斜下側への移動を規制する規制壁２４１を備え、上述のように並んだ遊技球の最も傾斜下側の遊技球を一個だけ受ける球受け部２４２と、球受け部２４２で保持された遊技球を規制壁２４１の上部にあって、供給流路２４５の入口である供給導入口２４９に移送する移送供給部材２４３と、移送供給部材２４３を昇降駆動する球送りソレノイド２４４とを備える。
また、供給装置は、この球送り装置２４０と、規制壁２４１の球受け部２４２の反対側に形成され、規制壁２４１を乗り越え、供給導入口２４９から流入した遊技球を発射装置６１（発射レール６２上）に導出するための供給流路２４５と、供給流路２４５を通過する遊技球を検知する供給球検出センサ２４６と、供給流路２４５（封入球循環ユニット２００）の遊技球の発射装置６１への導出口となる供給導出口２４７とを備える。
【０１１１】
規制壁２４１は、傾斜した待機流路２２１上に並んだ遊技球の最も傾斜下側の遊技球を止めるもので、例えば、遊技球の直径より僅かに低い高さ（最も下に位置する移送供給部材２４３の後述の底面板部材２４３ａの上面からの高さ）を有する板状に形成されている。また、球受け部２４２は、規制壁２４１と直角に接合された状態の保持部底壁２４８を備え、規制壁２４１と保持部底壁２４８とがＬ字状となっている。
【０１１２】
移送供給部材２４３は、球受け部２４２の保持部底壁２４８上に配置されて、球受け部２４２に流入した遊技球を載置（保持）する保持部として機能する底面板部材２４３ａを備え、かつ、左右と後方側が開放したコ字状（チャネル状）に形成され、遊技球を右から左に通過させられるようになっている。なお、底面板部材２４３ａは、コ字状の移送供給部材２４３の底部となる部分である。そして、移送供給部材２４３は、その上端部に球送りソレノイド２４４のプランジャーが接続されている。そして、球送りソレノイド２４４により、底面板部材２４３ａの遊技球が載る上面が待機傾斜部２２３の最も傾斜下側の上面より下となる位置と、底面板部材２４３ａの上面が規制壁２４１の上端より上となる位置との間を昇降自在とされている。
移送供給部材２４３が降下して待機しているとき、移送供給部材２４３の前面側壁２４３ｂの流路側の面と、待機流路２２１側面の流路側の面との前後位置は同じであり、同一平面を形成している。
つまり、移送供給部材２４３が下方にあるときは、移送供給部材２４３の前面側壁２４３ｂと、待機流路２２１側面の流路側の面は、段差のない滑らかな連続状態を形成するようになっている。
また、このとき、移送供給部材２４３の底面板部材２４３ａの上面は、待機傾斜部２２３の上面の高さより低い位置にあって、待機流路２２１と移送供給部材２４３との間の隙間で遊技球が止まってしまうことを防止している。
そして、移送供給部材２４３が上方にあるときは、底面板部材２４３ａが供給導入口２４９に隣設するようになっている。
【０１１３】
また、底面板部材２４３ａの上面は、封入球循環ユニット２００の背面側から見て右から左に下るように傾斜（待機流路２２１と同じ傾斜）していると共に、手前側（後側）に下るように傾斜している。
つまり、封入球循環ユニット２００の背面側から見て、右奥（右前）から左手前（左後）に下るように傾斜している。
待機流路２２１の待機傾斜部２２３上から球受け部２４２に配置された移送供給部材２４３の底面板部材２４３ａ上に流入した遊技球は、底面板部材２４３ａ上でその傾斜により規制壁２４１と蓋部材２３２が隣接する部分に寄って、規制壁２４１と蓋部材２３２に接触した状態となるようになっている。そして、移送供給部材２４３が球送りソレノイド２４４により上昇させられ、底面板部材２４３ａの上面が規制壁２４１の上端より高くなった際に、底面板部材２４３ａ上の遊技球が底面板部材２４３ａの傾斜によって規制壁２４１を越えて供給導入口２４９から供給流路２４５側に流下するようになっている。なお、底面板部材２４３ａの一側端（待機流路２２１に臨む端部）は、上昇した場合に、待機流路２２１上で次ぎに移送供給部材２４３に送られる遊技球が移送供給部材２４３の下に入り込むことがないように、待機流路２２１の最下流部で待機する遊技球の直径より高く上がらないようになっている。
【０１１４】
球送りソレノイド２４４は、そのプランジャーを略垂直に下方に向けた状態で、前壁部材３１０に設けられた球送りソレノイド取付部３１１に取り付けられており、プランジャーの先端に移送供給部材２４３を接続した状態で、プランジャーを上下に駆動するようになっている。また、球送りソレノイド２４４は、発射制御基板６３により発射装置６１と同期して制御され、発射装置６１が遊技球を発射した直後に、昇降して、遊技球を発射装置６１に送るようになっている。
【０１１５】
供給流路２４５は、規制壁２４１に関して移送供給部材２４３の反対側に形成され、規制壁２４１に沿って遊技球をほぼ真下に流下させた後に、前方に案内して、前方の供給導出口２４７から遊技球を封入球循環ユニット２００の前側の発射装置６１側に導出するようになっている。なお、供給流路２４５は、前壁部材３１０から後方に延出する供給流路壁部２４５ａにより形成されている。また、供給流路２４５の底部となる位置には、封入球式遊技機１００の前後方向に沿って垂直に立設された流路リブ２４５ｂが形成され、流路リブ２４５ｂ上が後から前に向かって下るように傾斜した状態となっており、流路リブ２４５ｂ上に流下した遊技球が流路リブ２４５ｂ上を後から前に転動して供給導出口２４７から導出されるようになっている。
【０１１６】
供給球検出センサ２４６は、回収球センサ２１２と同様に周知のパチンコ球通過センサスイッチであり、供給流路２４５に関して球送り装置２４０の反対側となる前壁部材３１０の位置に設けられた供給センサ取付部３１２に後端部が取り付けられ、前端部が規制壁２４１に当接もしくは近接して配置され、規制壁２４１を乗り越えて供給導入口２４９から流入して供給流路２４５を真下に流下する遊技球が通過する孔２４６ａが形成され、供給流路２４５を流下して孔２４６ａを通過する遊技球を検出するようになっている。
なお、供給球検出センサ２４６も回収球センサ２１２と同様に遊技球を検出して信号を出力する。供給球検出センサ２４６に検出された遊技球は、検出直後に発射装置６１に供給されて発射されるので、供給球検出センサ２４６は、発射装置６１の前側であるが、遊技球の発射を検出する発射球センサも兼ねるものとなっている。
【０１１７】
球送り装置２４０は、遊技球が規制壁２４１を乗り越え供給導入口２４９に流入するように僅かに上昇させることにより、遊技球を一個ずつ発射装置６１に供給するようになっており、供給待機している遊技球を更に下方に移送して供給するような構成にした場合に比較して、待機流路２２１の下方に大きく間隔を開けて供給導出口２４７を形成したり、長い供給流路２４５を形成したりする必要がなく、封入球循環ユニット２００の上下幅を小さくすることができ、取付盤１３１裏面の限られたスペースに対して問題なく配設できるし設置の自由度が増す。
【０１１８】
また、球送り装置２４０は、遊技球を規制壁２４１を乗り越えさせるために、その半径程度の長さだけ上昇させるものであり、遊技球を長い距離に渡って揚送するものではなく、封入球循環ユニット２００の循環流路２２０やファール球流路２５２に最低限必要とされる上下幅の範囲内を十分に収容することができ、確実に封入球循環ユニット２００の上下幅を短くすることができる。また、球送り装置２４０は、球送りソレノイド２４４のプランジャーに直接移送供給部材２４３を取り付けただけの簡単な構造であり、トラブルが発生する可能性が極めて低い。
【０１１９】
待機流路２２１には、移送供給部材２４３に保持された遊技球に連なって待機する遊技球があって、移送供給部材２４３に保持された遊技球に隣接して待機流路２２１の最も傾斜下側で待機する遊技球が接触する待機流路２２１の底面をなす待機傾斜部２２３より、この遊技球に隣接し、待機流路２２１で２番目に待機する遊技球が接触する待機傾斜部２２３の方が高くなるように段差部２２７を設け、この２番目に待機する遊技球の上方には、待機流路２２１で待機する他の遊技球より上方の空間を広くする圧力分散空間形成部２２６を設けている。
この圧力分散空間形成部２２６、段差部２２７により、移送供給部材２４３によって上方に移送される遊技球にかかる圧力を軽減し、遊技球の移送を容易にすることができる。
【０１２０】
段差部２２７は、待機傾斜部２２３の傾斜下側末端から、遊技球の直径よりわずかに長い距離だけ傾斜上側にあって、この段差部２２７を境に傾斜下側が低くなっている。
待機流路２２１で待機する遊技球の内、最も傾斜下側で待機する遊技球は、移送供給部材２４３に保持された遊技球に隣接して、この段差部２２７と待機傾斜部２２３の傾斜下側末端の間に待機し、これに隣接して待機流路２２１で２番目に待機する遊技球は、段差部２２７よりも傾斜上側で待機する。
これによって、待機流路２２１の最も傾斜下側で待機する遊技球に対して、待機流路２２１で２番目に待機する遊技球は、球の中心から上方にずれた位置に接触することとなる。
【０１２１】
圧力分散空間形成部２２６は待機天井部２２５の傾斜下側の末端付近であって、待機流路２２１で待機する遊技球の、傾斜下側から数えて２番目に待機する遊技球の上方に設けられた、側面から見て三角形の上方に突出した部分である。
待機流路２２１において、待機傾斜部２２３と待機天井部２２５の間隔は、遊技球の直径よりも僅かに広い間隔となっているが、圧力分散空間形成部２２６が設けられた部分では、他の部分よりも広く、遊技球の上半分が入る程度の空間となっている。
この部分に待機流路２２１で２番目に待機する遊技球が入ることで、この遊技球より傾斜下側にあって、待機流路２２１の最も傾斜下側で待機している遊技球には、斜め下方向の圧力がかかるようになる。
【０１２２】
移送供給部材２４３の球受け部２４２で待機している遊技球には、待機流路２２１の斜面に沿って下方に流下しようとする遊技球の圧力がかかっている。
この状態で遊技球を上方に移送すると、圧力によって隣接する遊技球との摩擦力が大きくなっているため、隣接する遊技球も一緒に上方に持ち上がってしまう。
このような状態となると、球送りソレノイド２４４の負担が大きくなって、円滑な昇降動作の妨げとなる。
ここで、圧力分散空間形成部２２６、段差部２２７を設けると、まず、段差部２２７によって待機流路２２１の最も傾斜下側で待機する遊技球に対して、待機流路２２１で２番目に待機する遊技球は、球の中心から上方にずれた位置に接触することとなる。
ここに、待機流路２２１で一列に並んで待機している遊技球の圧力が加わると、この待機流路２２１で２番目に待機する遊技球が若干上方に持ち上げられ、圧力分散空間形成部２２６に入った状態となる。
これにより、待機流路２２１の最も傾斜下側で待機する遊技球には、斜め下方向に圧力がかかることとなり、球受け部２４２で待機する遊技球にとっては、水平方向にかかる圧力が軽減される。
また、待機流路２２１の最も傾斜下側で待機する遊技球が、斜め下方向に圧力を受けていることで、移送供給部材２４３の上昇に伴って、この遊技球が一緒に持ち上がってしまうことを防止できる。
これらによって、球送りソレノイド２４４の負担が軽減され、遊技球の移送が容易になるものと考えられる。
【０１２３】
球補充装置２６０は、循環流路２２０の上側に設けられた左右に長尺で、傾斜角を変更可能に回転移動自在とされた球貯留板２６１を備えた補充球貯留部２６２と、球貯留板２６１の傾斜角を変更して補充球貯留部２６２を遊技球を貯留する状態と、遊技球を補充する状態とに切り替える球補充ソレノイド２６３と、球貯留板２６１の裏面側から見て左側（ファール球流路２５２の反対）に設けられ、球貯留板２６１上の遊技球の落下を規制するとともに、球交換カセット取付部２７０から流入する遊技球を球貯留板２６１上に導く、球抑え部材２６５とを備える。
【０１２４】
球貯留板２６１は、その中央部より前側の位置を前壁部材３１０に設けられた回転ピン３１３に回動自在に軸支されて後壁部材３２０に支持されるとともに、前後を前壁部材３１０と後壁部材３２０とに囲まれた状態となっている。そして、球貯留板２６１は、通常時は、球を貯留する状態となっており、球貯留板２６１の一方の端部である球抑え部材２６５側の後端部が下になるように僅かに傾斜した状態で、球貯留板２６１上に遊技球を一列に複数個（例えば５個）載せるようになっている。この際に、球貯留板２６１上の遊技球のうちの最も一方の端部側に載った遊技球が球抑え部材２６５に抑えられた状態となり、球貯留板２６１の傾斜に沿って遊技球が流下しないようになっている。
【０１２５】
また、球貯留板２６１の他方の端部である前端部は、ファール球傾斜部２５５（ファール球流路２５２）の傾斜下側の合流部２５４上に位置しており、球貯留板２６１がファール球流路２５２側の他方の端部が下になるように傾斜した場合に、球貯留板２６１上の遊技球を合流部２５４上に流下させるようになっている。すなわち、補充球となる遊技球を補充する状態では、球貯留板２６１は、ファール球流路２５２側の他方の端部を下にするように傾斜する。
【０１２６】
また、球貯留板２６１の一方の端部には、その下側に球補充ソレノイド２６３のプランジャーに接続された掛止板２６３ａに掛止される係止部２６１ａが設けられ、球補充ソレノイド２６３のプランジャーの上下動により、球貯留板２６１の傾斜角を変更できるようになっており、プランジャーを下げた状態では、球貯留板２６１の一方の端部が下となるように傾斜して球貯留状態となり、プランジャーを上げた状態では、球貯留板２６１の他方の端部が下となるように傾斜して球補充状態となる。
【０１２７】
さらに、球貯留板２６１の一方の端部には、係止部２６１ａから球貯留板２６１の延長線に沿って延出して球交換カセット取付部２７０に至る係合部材２６１ｂが形成されている。係合部材２６１ｂは、球交換カセット取付部２７０の後述する作動リンク部材２７３に係合し、球交換カセット取付部２７０に球交換カセットをセットした場合に上に持ち上げられ、球貯留板２６１の一方の端部が他方の端部に対して高くなるように傾斜させ、球貯留板２６１を球補充状態にするようになっている。
【０１２８】
球補充ソレノイド２６３は、前壁部材３１０に形成された球補充ソレノイド取付部３１４にプランジャーを上に向けて取り付けられ、第１枠制御基板８１の制御により、球不足検出センサ２６４により、循環流路２２０の球不足検出センサ２６４の位置に滞留する遊技球が無いことが検出された場合に、プランジャーを上げるように制御されている。これにより、循環流路２２０において、遊技球が不足した場合に、球補充ソレノイド２６３により球貯留板２６１が球補充状態となるように傾斜角が変更され、球貯留板２６１上の遊技球を循環流路２２０の上流側端部となる合流部２５４に供給するようになっている。
なお、球不足は、例えば、遊技領域１ａにおいて、遊技球の詰まり等が発生し、遊技領域１ａ内に通常より多くの遊技球が存在することにより、封入球循環ユニット２００に回収される遊技球の数が減った場合や、ガラス枠１４０を開放した際に、遊技球が外部に流出した場合等に発生する。
【０１２９】
球交換カセット取付部２７０は、後壁部材３２０に形成されたカセット挿入部２７１と、前壁部材３１０に形成されたカセット受け部２７２と、球交換カセット取付部２７０に挿入された球交換カセットを掛止するカセット掛止部２７９と、球交換カセットの取付時に上述の球貯留板２６１の傾斜角を変更する作動リンク部材２７３と、カセット蓋開放係止部材２７４とを有する。
【０１３０】
カセット挿入部２７１は、後壁部材３２０に形成され、球交換カセットを挿入する挿入開口部２７６と、後壁部材３２０の挿入開口部２７６の周囲に後方に延出するように設けられ、挿入される球交換カセットを案内するとともに、挿入された球交換カセットを支持するカセットガイド部材２７７とを有する。なお、球交換カセット取付部２７０においては、球交換カセットをセットした際に、球交換カセットの球出口がある側（球補充装置２６０側）の一方の端部が他方の端部より低くなるように傾斜し、球交換カセット取付部２７０にセットされた際に、球交換カセット内の遊技球が球交換カセットの傾斜により球出口に向かって流下するようになっている。
【０１３１】
前壁部材３１０に形成されたカセット受け部２７２は、球交換カセットの挿入方向の前端部に対応する形状を有した凹部であり、挿入された球交換カセットの前端部が凹部であるカセット受け部２７２に挿入されることで、球交換カセットの前端部を位置決めした状態に支持するようになっている。また、カセット受け部２７２の球補充装置２６０側となる左右の一方の端部（裏面から見て右側端部）に、後述するように回動移動する作動リンク部材２７３の移動を妨げないように作動リンク部材開口部（図示略）が形成されている。
【０１３２】
カセット掛止部２７９は、前壁部材３１０に形成されるともに、前壁部材３１０から後方に延出して後壁部材３２０の挿入開口部２７６の周縁部の下部からカセットガイド部材２７７に沿って配置され、その後端部に上面に係合突起２７８を有する。また、係合突起２７８は、球交換カセットを球交換カセット取付部２７０に挿入される際の球交換カセットの通過経路内に突出しているが、球交換カセットを挿入する際に、球交換カセットに係合突起２７８が接触すると、カセット掛止部２７９が弾性変形して係合突起２７８が球交換カセットの通過経路外に出て、球交換カセットを挿入開口部２７６に挿入可能となる。
【０１３３】
なお、カセット掛止部２７９の係合突起２７８は、球交換カセットの挿入方向と対向する面がテーパとされて断面三角形状となっている。また、カセット掛止部２７９の係合突起２７８は、球交換カセットが挿入開口部２７６に完全に挿入された際に、カセット掛止部２７９の後端部の直ぐ後の位置となるように配置されており、球交換カセットが完全に挿入された状態で、カセット掛止部２７９が弾性変形した状態から元の状態に復帰し、係合突起２７８が球交換カセットの後端部に係合するようになっている。また、球交換カセットを挿入開口部２７６から引き出すように操作すると、カセット掛止部２７９が弾性変形して、再び、係合突起２７８が球交換カセットの通過経路が出た状態となり、球交換カセット取付部２７０から球交換カセットを取り外せるようになっている。
【０１３４】
図１３に示すように、カセット蓋開放係止部材２７４は、後壁部材３２０のカセット挿入部２７１の近傍で、かつ、球補充装置２６０側となる部分で、後方に延出して形成されるとともに、カセット挿入部２７１に向かって突出する蓋係合突起２７４ａを備える。蓋係合突起２７４ａは、球交換カセット取付部２７０に球交換カセットをセットする際に、球交換カセットの球出口を覆うとともに、前後方向にスライド移動して球出口を開閉自在とするカセット蓋と係合し、球交換カセットを前方に移動して球交換カセット取付部２７０に挿入する際に、前方に移動する球交換カセットに対してカセット蓋を固定し、カセット蓋を球交換カセット本体に対して相対的に後方に移動させて、カセット蓋が球交換カセットの球出口を開放した状態とするものである。
これにより、球交換カセットを球交換カセット取付部２７０にセットすることで、球交換カセットの球出口が開放状態となり、球交換カセットをセットした時点で、球交換カセットの球出口から遊技球が球補充装置２６０を経て循環流路２２０側に流下を開始することになる。
【０１３５】
作動リンク部材２７３は、前壁部材３１０の球交換カセット取付部２７０の球補充装置２６０側端部に配置されるものである。また、球交換カセット取付部２７０と球補充装置２６０との間は、球交換時等における球交換カセット取付部２７０から球補充装置２６０への遊技球の導入経路となっており、作動リンク部材２７３は、遊技球の導入経路を開閉する開閉部材として機能する。また、遊技球交換時等の外部からの遊技球の補給に際し、球交換カセット取付部２７０から循環流路２２０に遊技球を送る際に、遊技球が球補充装置２６０を通過するようになっている。そして、作動リンク部材２７３は、外部からの遊技球の補給時に、球補充装置２６０の球貯留板２６１を上述の貯留状態の傾斜角から補充状態の傾斜角に変換するようになっている。
作動リンク部材２７３は、その下端部を除く主要部が前記導入経路を開閉する開閉扉部２７３ａとされ、導入経路を遊技球の通過が不可となるように閉塞する前後幅及び上下幅を有するとともに、後述するようにセットされる球交換カセットに押圧される際に確実に押圧可能な厚み（左右幅）を有する。また、作動リンク部材２７３は、その主要部となる開閉扉部２７３ａの下となる下端部に、下端部の前部から後方に延出した板状のリンク片２７３ｂを有する。また、リンク片２７３ｂは、上述の球交換カセット取付部２７０側に延出する球貯留板２６１の係合部材２６１ｂの下側の近傍（接しても良い）に配置されている。
また、作動リンク部材２７３は、開閉扉部２７３ａとリンク片２７３ｂとの接合部分が前壁部材３１０に形成されたリンク部材支持部３１７に形成された軸（図示略）に回転自在に軸支されている。
【０１３６】
そして、作動リンク部材２７３は、外部から力のかかっていない通常時は、開閉扉部２７３ａが上述の遊技球の導入経路を閉じる状態となっている。この場合に、球交換カセット取付部２７０への球交換カセットの挿入時に、開閉扉部２７３ａが球交換カセットの通過経路となる部分の左右の端部のうちの一方の球補充装置２６０側端部に配置され、球交換カセット取付部２７０の挿入開口部２７６に球交換カセットを挿入した場合に、開閉扉部２７３ａが後方に押されることで、開閉扉部２７３ａが後方に移動して前記導入経路が開放状態となるとともに、リンク片２７３ｂが斜め上前方に移動するように作動リンク部材２７３が回転移動する。
【０１３７】
また、リンク片２７３ｂは、上述のように球貯留板２６１の係合部材２６１ｂの下側の近傍に配置されており、上述のように球交換カセットを挿入することで、リンク片２７３ｂが斜め上に上がると、係合部材２６１ｂを押し上げ、球貯留板２６１が、球交換カセット取付部２７０側に向かって下り傾斜して遊技球を貯留する状態から、ファール球回収手段２５０に向かって下り傾斜して遊技球を合流部２５４に流下させて遊技球を補充する状態となる。そして、球交換カセットの球出口から球補充装置２６０装置側に流下した遊技球は、球貯留板２６１上を流下して循環流路２２０に流入する。なお、リンク片２７３ｂは、球貯留板２６１の係合部材２６１ｂの下側に配置されているので、球補充ソレノイド２６３が、球貯留板２６１の係合部材２６１ｂ側の端部を上昇させて、補充球を補充する状態となっても、リンク片２７３ｂは動かず、開閉扉部２７３ａは、球交換カセット取付部２７０と球補充装置２６０との間を閉塞した状態を維持するようになっている。
【０１３８】
以上のように球交換カセットを球交換カセット取付部２７０にセットすると、球交換カセット取付部２７０と球補充装置２６０との間で、作動リンク部材２７３の開閉扉部２７３ａが遊技球の導入経路を開放することで、上述のように球交換カセットの球出口から流出した遊技球は、球補充装置２６０の球交換カセット取付部２７０側に端部に形成された球抑え部材２６５上を通過して、球貯留板２６１上に流下するが、この際に、球貯留板２６１は、作動リンク部材２７３により補充状態とされ、ファール球回収手段２５０側に向かって下り傾斜しているので、補給される遊技球は、球貯留板２６１上をファール球回収手段２５０側に流下して、球貯留板２６１の端部から落下し、循環流路２２０の上流側端部となる合流部２５４上に流下して、循環流路２２０内に流入することになる。
【０１３９】
付着物除去手段４００は、封入球循環ユニット２００内の遊技球を発射する発射装置６１の遊技球の発射位置６９の上流側の流下経路内となる上述の循環流路２２０の待機流路２２１内の遊技球に対して付着物を除去可能に設けられている。
【０１４０】
そして、付着物除去手段４００は、前記流下経路となる循環流路２２０の待機流路２２１内に遊技球と接触可能に設けられてアースされた金属プレート４１０と、流下経路となる循環流路２２０の待機流路２２１内に対して吹き出しもしくは吸い込みにより人口風を形成する風形成手段となる送風ファン４２０とを備えている。
【０１４１】
前記金属プレート４１０は、待機流路２２１の底部（遊技球流下底部）を構成するとともに、前壁部材３１０の裏面から後方に延出する板状の待機傾斜部２２３に取り付けられている。そして、金属プレート４１０は、待機傾斜部２２３の待機流路２２１の底面となる上面に、待機傾斜部２２３の前後幅（遊技球の流下方向と直交する方向の幅）のほぼ全幅に渡って配置される四角板状の上面板４１１と、該上面板４１１との間に待機傾斜部２２３を挟んで待機傾斜部２２３の下面に配置される下面板４１２と、待機傾斜部２２３の後端部側で前記上面板４１１と下面板４１２とをつなぐように配置される接続部４１３と、前記下面板４１２の前縁部から下方に延出して形成され、アース配線４３０が接続されるアース取付部４１４とを有する。
【０１４２】
前記金属プレート４１０は、上記上面板４１１と下面板４１２と接続部４１３とから断面コ字状に形成され、接続部４１３が形成された側縁部と反対側の上面板４１１と下面板４１２との間が開放された開放端側から待機傾斜部２２３を上面板４１１と下面板４１２との間に挟み込むようにすることで、待機傾斜部２２３に固定されるようになっている。
また、図１６に示すように待機傾斜部２２３は、金属プレート４１０を取り付けるプレート取付部２２３ａにおいて、他の部分より厚みが薄くされ、容易に位置決め可能となっているとともに、待機傾斜部２２３に金属プレート４１０を取り付けた際に、図１５に示すように、待機傾斜部２２３の金属プレート４１０が取り付けられていない部分の上面と、金属プレート４１０の上面とがほぼ同一平面内に配置されるようになっており、遊技球の移動を妨げないようになっている。
【０１４３】
なお、上面板４１１は、待機傾斜部２２３上を流下する遊技球に接触する必要があり、待機流路２２１の底部となる待機傾斜部２２３上面の少なくとも、前後の中央部を覆っている必要がある。また、上面板４１１の遊技球の流下方向すなわち、待機傾斜部２２３の長手方向に沿った長さは、遊技球の全周（π×遊技球の直径）の長さ以上とされ、上面板４１１上を遊技球が転動した場合に、少なくとも遊技球が一周する間は、上面板４１１上を転動することが可能でとなっていることが好ましい。これにより、上面板４１１上を遊技球が転動した場合に、遊技球の全周に渡って上面板４１１に接触することが可能となり、より確実に遊技球の静電気を除去することができるとともに、遊技球が流下した場合に遊技球の表面全体に風を当てられることから、付着物を十分に除去する時間を確保することができる。
【０１４４】
また、金属プレート４１０のアース取付部４１４には、アース配線取付端子となるネジ孔と、ネジ孔に螺合されたネジ４１５とを有し、アース配線４３０の端子４３１がネジにより固定されている。なお、アース配線４３０は、前壁部材３１０の待機傾斜部２２３下側の金属プレート４１０近傍に設けられたアース配線孔３１６を通って、図４に示すように、封入球循環ユニット２００の前に配置された発射ユニット６０の発射レール６２に設けられたアース端子６１２にネジ６２２で固定され、金属製の発射レール６２を含む発射ユニット６０に対してアースされた状態となっている。なお、金属プレート４１０のアースは、発射ユニット６０への接続に限定されるものではなく、発射ユニット６０と封入球式遊技機１００の他の金属部分、或いは島設備にアースすることで、金属プレート４１０のアース効果を高めるようにしても良い。
【０１４５】
前記送風ファン４２０は、電気製品の電源、基板等の排熱（冷却）用の周知の送風ファンであって、例えば、正面視して略正方形のケーシング内のファンとファンを回転するモータとを備えたものであり、前壁部材３１０の前面側で、待機流路２２１の金属プレート４１０が取り付けられた位置の前に設けられた送風ファン取付部３１０ａに取り付けられている。また、送風ファン４２０の送風方向は、この例において、封入球式遊技機１００の前後方向の前から後となっている。
【０１４６】
また、前壁部材３１０の送風ファン４２０の取付位置で、かつ、待機流路２２１の金属プレート４１０が配置された位置の上部と下部とには、通気口３１８，…が形成されている。すなわち、前壁部材３１０の待機傾斜部２２３が形成された位置の待機傾斜部２２３の直上（上側近傍）となる位置に、待機傾斜部２２３に沿うとともに金属プレート４１０の遊技球の流下方向に沿った配設範囲に渡ってスリット状の二つの通気口３１８，３１８が一列に形成され、さらに、待機傾斜部２２３の上側で、待機流路２２１の天井となる待機天井部２２５が形成された位置の待機天井部２２５の直下（下側近傍）となる位置に、待機天井部２２５（待機傾斜部２２３）に沿うとともに金属プレート４１０の配設範囲（流下方向の範囲）に渡ってスリット状の二つの通気口３１８，３１８が一列に形成されている。
【０１４７】
また、後壁部材３２０の裏面の送風ファン４２０の取付位置に対応する部分には、フィルタ５００（図１７に図示）を取り付けるためのフィルタ取付部３２１が設けられている。フィルタ取付部３２１は、送風ファン４２０による送風、送風により吹き飛ばされた遊技球への付着物を含む塵芥等を通過させるフィルタ開口部３２２が形成されるとともに、フィルタ開口部３２２がフィルタ５００の外周枠５０１を位置決めして取り付けるために後壁部材３２０裏面から後方に突出するリブ３２３となっている。また、後壁部材３２０のフィルタ開口部３２２のうちの待機傾斜部２２３の下側となる部分は、フィルタ開口部３２２の奥で閉塞板３２４により閉塞されている。
【０１４８】
また、フィルタ開口部３２２の上縁は、待機傾斜部２２３より少し上に配置されるとともに、待機傾斜部２２３の上面、すなわち、金属プレート４１０の上面に沿って斜めに配置されており、待機流路２２１の後部側で、待機傾斜部２２３（金属プレート４１０）の上面近傍に該上面に沿ってスリット上の通気口３２８が形成された状態となっている。
また、フィルタ取付部３２１の右側縁部には、フィルタ５００をネジ止めするためのネジ孔３２５が形成されている。
なお、前壁部材３１０及び後壁部材３２０は、発射装置６１に遊技球を流下させる流下路である循環流路２２０及びその待機流路２２１の前後の両側壁となるものであり、通気口３１８、３２８は、循環流路の待機流路２２１の金属プレート４１０が配設された部位に対応する両側壁に開設されていることになる。
【０１４９】
図１７に示すように、前記フィルタ５００は、フィルタ開口部３２２の周縁と同形状の外周枠５０１と、外周枠５０１内に配設されたフィルタ本体５０２と、外周枠５０１に形成されたネジ挿通孔５０３とを備える。外周枠５０１は、フィルタ本体５０２を支持するとともに、後壁部材３２０のフィルタ取付部３２１のリブ３２３の外側に係合して位置決めされるようになっているとともに、ネジ挿通孔５０３を介してネジ５０４をフィルタ取付部３２１のネジ挿通孔５０３に螺合することにより、後壁部材３２０に固定されるようになっている。
【０１５０】
フィルタ本体５０２は、送風ファン４２０の送風により吹き飛ばされた上述の塵芥等の所謂ゴミを回収するゴミ回収手段となるものであり、送風により吹き飛ばされたゴミが、例えば、封入球式遊技機１００の後方となる島設備内に排出されるのを防止するものである。なお、封入球式遊技機１００では、内部で封入された遊技球が循環する構成であり、通常外部から遊技球等が入れられることがない。従って、密閉されているわけではないが、従来の遊技機に比較して内部へのゴミ等の侵入は少ないものとなっており、フィルタ本体５０２が短期間で目詰まりするようなことはなく、フィルタ５００の交換や清掃等を行わなくても長期使用が可能である。なお、フィルタ５００は、封入球式遊技機１００の裏面側に配置されるので遊技者に見られることがなく、かつ、封入球式遊技機１００の裏面側で露出しているので、交換等のメンテナンスが容易なものとなっている。
なお、フィルタ５００を取り外して使用しても良く、この場合に吹き飛ばされたゴミ等は、送風ファン４２０の風力等に対応して島設備内の所定箇所に落下して回収される。すなわち、封入球式遊技機１００にフィルタ５００を設けずに、ゴミ等を回収する手段を封入球式遊技機１００の外に設けても良い。
【０１５１】
また、図７に示すように、封入球循環ユニット２００が取り付けられるベース枠体となる前面枠本体１３０の取付盤１３１の送風ファン４２０と前後に重なる位置には、送風ファン４２０に連通するファン開口部１３９が形成されている。また、ベース枠体となる前面枠本体１３０の取付盤１３１の前面側には、タッチパネル表示ユニット１５１を備えた発射操作ユニット１５０が設けられている。
タッチパネル表示ユニット１５１は、上述のように各種遊技情報を遊技者に表示する表示装置として機能し、封入球式遊技機１００の前面側下部に配設される。
【０１５２】
そして、ベース枠体の一部となる取付盤１３１のファン開口部１３９は、通気開口部１７４を介して、発射操作ユニット１５０内部のタッチパネル表示ユニット１５１の裏面側となる空間に連通しており、表示装置としてのタッチパネル表示ユニット１５１（バックライト、ドライバ回路基板等の発熱する構成を有する）から発射操作ユニット１５０内部に放出される熱を送風ファン４２０が吸い込む構成となっている。
なお、封入球循環ユニット２００は、取付盤１３１の裏面側で、発射ユニット６０の後側に取り付けられているが、封入球循環ユニット２００の前壁部材３１０の前側に取り付けられる送風ファン４２０は、斜めに配置される発射ユニット６０の高くなった部分の下側に配置され、送風ファン４２０と発射ユニット６０は、前後ではなく、上下に重なるようになっており、スペース効率が高められている。
【０１５３】
また、送風ファン４２０は、封入球循環ユニット２００の本体と取付盤１３１との間に配置されるとともに、その上に発射ユニット６０が配置されることから、メンテナンスが困難な状態となる可能性があるが、上述のように封入球循環ユニット２００は、後方側に倒れるように回転可能に取付盤１３１に取り付けられているので、封入球循環ユニット２００を後方に倒すように回転移動することで、送風ファン４２０が倒れた状態の封入球循環ユニット２００の上面側に現れ、容易にメンテナンスできる。さらに、封入球循環ユニット２００は、取付盤１３１に対して着脱自在であり、封入球循環ユニット２００を取り外して、送風ファン４２０を含む付着物除去手段４００のメンテナンスが可能である。
【０１５４】
以上のような構成により送風ファン４２０は、表示装置としてのタッチパネル表示ユニット１５１の裏面側であってタッチパネル表示ユニット１５１を配設するためのベース枠体である前面枠本体１３０の取付盤１３１に形成されて送風ファン４２０に連通するファン開口部１３９から、タッチパネル表示ユニット１５１から放出される熱を吸い込むように、封入球式遊技機１００の前後方向の前側から後側に送風する。
そして、送風ファン４２０は、タッチパネル表示ユニット１５１の裏面側から吸い込んだ空気を、後方の待機流路２２１の前記金属プレート４１０が配設された部位に対応する両側壁のうちの一方の側壁となる前壁部材３１０に形成された通気口３１８，３１８と他方の側壁となる後壁部材３２０の通気口３２８とを介して、後方側に人工風を送風することになる。
【０１５５】
以上のような封入球式遊技機１００においては、以下のように遊技領域１ａに遊技球が発射され、発射された遊技球が回収されて循環使用されることになる。
遊技者が二つのハンドルタッチ検出部材１５２，１５２のうちの少なくとも一方に手を接触させると、そのハンドルタッチ検出部材１５２がその遊技者の手を検出して、発射装置６１を作動させるための信号を発射制御装置（発射制御基板６３）に出力する。その信号を入力する発射制御装置は、発射装置６１を作動させるとともに、発射装置６１に同期して球送り装置２４０を作動させる。すなわち、発射制御装置が発射装置６１のモータ及び球送り装置２４０の球送りソレノイド２４４を制御することによって、そのモータが発射杵６６を回転駆動し、発射位置６９にある遊技球が発射杵６６によって打撃され、遊技球が打撃されて発射された直後に球送りソレノイド２４４が昇降して、移送供給部材２４３にある遊技球が発射位置６９に供給される。
【０１５６】
また、遊技者がハンドルタッチ検出部材１５２，１５２から手を離すまでハンドルタッチ検出部材１５２が信号を発射制御装置に出力するので、発射制御装置は発射装置６１及び珠送り装置２４０の作動を継続する。そのため、遊技者がハンドルタッチ検出部材１５２，１５２から手を離すまで、上述したような遊技球の発射が繰り返される。また、遊技者が手をハンドルタッチ検出部材１５２，１５２から手を離すと、発射制御装置が発射装置６１及び球送り装置２４０を停止させて、遊技球が発射されなくなる。
【０１５７】
また、遊技球の発射が繰り返されている時に、発射スライドボリューム１５３は操作レバー１５６の上下位置に応じた信号を発射制御装置に出力し、発射制御装置が発射スライドボリューム１５３からの入力信号に応じて発射装置６１のモータを制御する。すなわち、操作レバー１５６を上又は下に移動すると、発射制御装置はモータの回転速度（トルク）を上げることにより遊技球の発射勢が強くなり、操作レバー１５６を逆に移動すると、発射制御装置がモータの回転速度を下げることにより遊技球の発射勢が弱くなる。また、操作レバー１５６を逆に移動して、その移動範囲の端（例えば、下端）に操作レバー１５６を位置させると、発射制御装置が発射制御装置が発射装置６１及び球送り装置２４０を停止させて、遊技球が発射されなくなる。
なお、上述のようにハンドルタッチ検出部材１５２，１５２が遊技者の手の接触を検出しているか否かを判定する（すなわち、ハンドルタッチ検出部材１５２から出力される信号を入力する）制御装置は、発射制御装置（発射制御基板６３）としたが、枠制御装置（第１枠制御基板８１、第２枠制御基板８２）であっても良い。
【０１５８】
そして、打撃された遊技球は、発射装置６１により遊技盤１前面側の遊技領域１ａの下側から内外二本のガイドレール２の間を通って、遊技領域１ａ内に発射される。
【０１５９】
そして、遊技領域１ａ内に発射された遊技球は、遊技領域１ａ内を流下し、発射された一部の遊技球が普通変動入賞装置９、特別変動入賞装置５、一般入賞口等の入賞口に流入して入賞し、遊技盤１の裏面側に導かれてセーフ球となり、遊技盤１の裏面側のセーフ球の排出経路を通って遊技盤１の下側に流下する。
【０１６０】
一方、遊技領域１ａ内を流下しても流入することなく、遊技領域１ａの下端部に至った遊技球は、アウト球として、遊技盤１の前面側下端部のガイドレール２が設けられていない中央部分から遊技盤１の下側に流下する。すなわち、アウト球は、遊技盤１の前面側から遊技盤１の下側に流下する。
そして、遊技盤１の下側に流下したアウト球及びセーフ球は、それぞれ封入球循環ユニット２００の回収部材２１０の回収口２１１の前部のアウト球回収口２１５及び回収口２１１の後部のセーフ球回収口２１６から封入球循環ユニット２００内に流入する。そして、回収部材２１０で回収されたアウト球及びセーフ球としての遊技球は、遊技球導入口２１９から導入経路２８０を通って回収球センサ２１２に至り、回収球センサ２１２を通過することにより回収球センサ２１２に検出される。
【０１６１】
回収球センサ２１２を通過した遊技球は、ファール球流路２５２の下端部となるとともに、循環流路２２０の上端部となる合流部２５４上に流下する。
一方、発射装置６１で発射されたのにも係わらず、遊技領域１ａを流下せずに戻ったファール球としての遊技球は、ファール球回収手段２５０のファール球回収部２５７で回収されてファール球回収口２５１を通った後にファール球センサ２５３を通過して、ファール球センサ２５３に検出されるとともにファール球流路２５２に至る。そして、ファール球流路２５２を流下するファール球としての遊技球は、ファール球流路２５２の下端部となる合流部２５４まで流下し、上述の回収球としての遊技球と合流する。
【０１６２】
そして、合流部２５４を流下した遊技球は、循環流路２２０に至り、循環流路２２０を流下し、さらに、循環流路２２０の下流部分となる待機流路２２１を流下する。待機流路２２１上を流下する遊技球は、待機流路２２１に設けられた付着物除去手段４００のアースされた金属プレート４１０上に至り、静電気を除去される。また、金属プレート４１０と前後に重なって、金属プレート４１０の前側に配設された送風ファン４２０からの前から後に向かう人工風が、金属プレート４１０の前後の側壁となる前壁部材３１０及び後壁部材３２０に形成された通気口３１８、通気口３２８を通って金属プレート４１０上で静電気を除去されている状態の遊技球に吹き付けることになる。
そして、静電気を除去されることによりゴミ、特に乾いたゴミの付着性が低下した遊技球に人工風が吹き付けることにより、遊技球に付着した付着物が効率的に除去される。
【０１６３】
待機流路２２１を流下した遊技球は、規制壁２４１に当接して待機する。
また、この後に続いて流下した遊技球も、順次前方にある遊技球に当接し、待機流路２２１上に一列に並んで待機する。
待機流路２２１の下流部は、球送り装置２４０に設けられた移送供給部材２４３に連続しており、待機する遊技球の内、規制壁２４１に当接して待機する最下流部の遊技球は、移送供給部材２４３内で待機することとなる。
段差部２２７によって、移送供給部材２４３に保持された遊技球に隣接し、待機流路２２１の最も傾斜下側で待機する遊技球に対して、待機流路２２１で２番目に待機する遊技球は、球の中心から上方にずれた位置に接触する。
さらに、待機流路２２１で２番目に待機する遊技球の上方の待機天井部２２５は、上方に突出した圧力分散空間形成部２２６となっているので、この遊技球に待機流路２２１で一列に並んで待機している遊技球の圧力が加わることで、この遊技球は若干上方に持ち上がり、圧力分散空間形成部２２６に入った状態で待機することとなる。
【０１６４】
発射装置６１に連動して移送供給部材２４３が球送りソレノイド２４４により昇降し、これによって遊技球が上方に移送され、底面板部材２４３ａの傾斜に沿って供給導入口２４９から供給流路２４５に流入する。
この後、移送供給部材２４３は下降し、待機流路２２１の最も傾斜下側で待機する遊技球が移送供給部材２４３内に流入する。
供給流路２４５に送られた遊技球は、供給流路２４５を流下し、供給球検出センサ２４６を通過して、供給球検出センサ２４６に検出された後に、供給導出口２４７に至る。
この供給導出口２４７は、封入球循環ユニット２００の前面側にある発射ユニット６０の発射位置６９に面しており、供給導出口２４７から出た遊技球はそのまま発射位置６９にセットされる。
つまり、発射ユニット６０の裏側にある封入球循環ユニット２００から直接遊技球を発射位置６９にセットするので、循環経路が単純になり装置の構成を簡略化できる。
発射装置６１にセットされた遊技球は、発射杵６６によって打撃されて遊技領域１ａに発射される。
発射杵６６は、発射位置６９よりも上方に回転軸部６６１を持ち、この回転軸部６６１に接続されたモータ（ステッピングモータ）の駆動により回転して、発射位置６９にセットされた遊技球を打撃して遊技領域１ａに発射する。
発射された遊技球は、再び上述の経路を辿り循環使用される。
【０１６５】
以上のような封入球式遊技機１００は、遊技領域１ａに向けて遊技球を発射する発射装置６１を備えた遊技機であり、封入球式遊技機１００における前面側下方に、遊技の実行に係わる前面機能体としてのタッチパネル表示ユニット１５１、見せ球装飾部１５４、スピーカ１５５及び発射スライドボリューム１５３を配設するための前方側に膨出した取付枠体１５９を設け、取付枠体１５９の側部に、側方に向いて開口した空間部１５８を形成するための空間形成部１６３を設け、空間形成部１６３における空間部１５８の前部内側面を構成する部位に、開口１５８ａから挿入された遊技者の手の接触を検出して、発射装置６１を作動させるための信号を出力するハンドルタッチ検出部材１５２を設けるとともに、空間形成部１６３における空間部１５８の下部内側面を構成する部位に、開口１５８ａから挿入された遊技者の手を載置可能な載置部１６４を形成している。
【０１６６】
そのため、遊技者の手を載せられるので、長時間遊技を継続しても疲労しづらい。特に、遊技機の横方向から手を載せられるので自然な姿勢で楽に遊技を行える。また、膨出状の取付枠体１５９の形状を利用して載置部１６４を形成したので、前面側における他の機構との配置に関しても何ら問題が生じないし、封入球式遊技機１００の前面側が一体感のあるデザインとなり装飾性も向上する。
また、空間内に手を入れて置けるので、手を保護することができる。（例えば、上部から落ちてきた物が手にぶつかることを保護）。
【０１６７】
以上の封入球式遊技機１００においては、空間形成部１６３の前面側であって開口１５８ａの縁部を、遊技者の手を載置部１６４に載置した状態で当該手で把持可能な把持部１６３ｃとして構成している。
【０１６８】
そのため、安定した状態で手を載せておくことができ、また、タッチ検出も確実かつ無理なく行うことができる。また、従来のように把持部が遊技機から突起したものではないので、デザイン的にも効果的である。
【０１６９】
以上の封入球式遊技機１００においては、載置部１６４が空間部１５８から外側に延在するように空間形成部１６３の下方部位を延設している。
【０１７０】
そのため、載置部１６４を広くできるので、より確実かつ安定した状態で遊技者の手を載せることができる。
【０１７１】
以上の封入球式遊技機１００においては、空間形成部１６３は、その空間形成部１６３の前面部を構成し、前方側に膨出した湾曲状の前面構成部１６３ａと、その空間形成部１６３の下面部を構成した底面構成部と、から構成されている。
【０１７２】
そのため、封入球式遊技機１００の前面側が一体感のあるデザインとなり装飾性も向上するという効果、及び、手を保護することができるという効果を得られる機構を確実に実現することができる。
【０１７３】
以上の封入球式遊技機１００においては、空間形成部１６３，１６３を、遊技者の左右何れの手でも載置可能に、当該遊技機の下部前面側両側部に設けている。
【０１７４】
そのため、載置する手を遊技者が選べるので、例えば、左利きの遊技者でも何ら違和感なく手を載置することができる。
【０１７５】
以上の封入球式遊技機１００においては、空間形成部１６３の前面側であって開口１５８ａの縁部を、遊技者の手を載置部１６４に載置した状態で当該手で把持可能な把持部１６３ｃとして構成し、空間形成部１６３の前面側表面であって開口１５８ａの縁部の近傍に、発射装置６１における遊技球の発射勢を調整可能な操作レバー１５６を備え、遊技者の手で把持部１６３ｃを把持した状態で操作レバーを操作可能に構成している。
【０１７６】
そのため、載置部１６４に手を載せた状態で、発射勢の強弱調整を行うことが可能となり、疲労感無く遊技を継続できる。
【０１７７】
以上の封入球式遊技機１００においては、前面機能体として遊技者に遊技情報を表示するタッチパネル表示ユニット１５１を斜め上方に傾斜した状態で取付枠体１５９に取り付けたことを特徴とする。
【０１７８】
そのため、遊技者の所望する情報を提供できるので、更に、遊技を楽しむことができる。また、大型の表示装置を設けても何ら問題なく、全ての構成物を配設することが可能である。
【０１７９】
なお、上記実施形態では、遊技の実行に係わる前面機能体としてタッチパネル表示ユニット１５１、見せ球装飾部１５４、スピーカ１５５及び発射スライドボリューム１５３が取付枠体１５９に取り付けられているが、その他の前面機能体として、持球等の遊技球を貯留する遊技球貯留皿、ランプ等の装飾装置、遊技データ（大当たり回数等）を表示する遊技データ表示器、遊技者が保有する金額情報を表示する金額表示器、遊技者が保有する持球数を表示する持球数表示器、金額情報から持球に変換する操作装置等が取付枠体１５９に取り付けられていても良い。上記実施形態では、タッチパネル表示ユニット１５１は、持球数の情報、金額情報等を表示するので、金額表示器及び持球数表示器として機能する。
【０１８０】
また、空間部１５８，１５８に冷房機能や暖房機能を設け、遊技者の手を快適にしても良い。例えば、ペルチェ素子の放熱部を空間部１５８，１５８の内側面に形成することによって、空間部１５８，１５８に冷房機能を設けても良いし、ペルチェ素子の吸熱部やヒータを空間部１５８，１５８の内側面に形成することによって、空間部１５８，１５８に暖房機能を設けても良い。
また、タッチパネル表示ユニット１５１の裏面側のスペースと空間部１５８との間にペルチェ素子を設け、そのペルチェ素子でスペースと空間部１５８，１５８を区切るようにしても良い。この場合に好ましくは、タッチパネル表示ユニット１５１の裏面側のスペースにペルチェ素子の吸熱部を臨ませることによって、そのスペース及びタッチパネル表示ユニット１５１を冷却させ、空間部１５８にペルチェ素子の放熱部を臨ませることによって、空間部１５８を暖めるようにしても良い。
【０１８１】
また、遊技者が所有する物品（たばこ、小銭等）を空間部１５８，１５８に収納することによって、空間部１５８，１５８を物品収納部として構成しても良い。
【０１８２】
また、空間部１５８，１５８の裏面側（例えば、裏面カバー１６２の裏面であって空間部１５８，１５８に前後に重なる位置）に送風ファンを設けて、送風ファンによって風を空間部１５８，１５８に送るようにしても良い。
この場合、風を空間部１５８，１５８に送ることで空間部１５８，１５８の換気を行ったり、或いは、遊技者の手に風を当てることで各種演出に利用したりできる（空間部内は、ある程度密閉させているので、風の感触を効率よく手に伝えることが可能）。
送風を演出として利用する場合は、送風ファンの作動を制御装置（主に、演出制御基板５０を有する演出制御装置）で制御することにより、遊技状態に応じて風を送る。例えば、遊技状態がリーチ状態となった場合に、送風ファンで風を空間部１５８，１５８に送ることで、リーチ状態の演出を行う。
また、空間部１５８，１５８に送風する送風ファンとして、裏面側に設けられる付着物除去手段４００の送風ファン４２０を利用するようにしても良く、この場合には、送風ファン４２０と空間部１５８，１５８を連通させて、空間部１５８，１５８に人工風を送る（吸い込み、或いは吐き出し）。
【０１８３】
また、前方から見て右側の把持部１６３ｃは、封入球式遊技機１００の前面枠１２０を開閉（特に開放）する際の取っ手としての機能を有する。つまり、遊技店の店員が手で把持部１６３ｃを把持した状態でその手で把持部１６３ｃを手前に引くと、前面枠１２０が開き、逆に把持部１６３ｃを後ろに押すと、前面枠１２０が閉じる。
【０１８４】
また、左右の把持部１６３ｃ，１６３ｃを両手で把持することにより、封入球式遊技機１００（前面枠１２０）を持ち上げることが可能に構成されているので、封入球式遊技機１００の島設備への設置作業が容易に行える。
【０１８５】
また、前面構成部１６３ａの把持部１６３ｃの近傍に操作レバー１５６の他、下記のものを設けても良い。
１．発射装置６１による発射動作を一時的に停止するボタン（発射停止操作部）。
２．変動表示ゲームを停止するボタン（変動表示ゲーム停止操作部）。
３．変動表示ゲームの演出内容を変更するボタン。
【０１８６】
制御装置で左右何れかのハンドルタッチ検出部材１５２が遊技者の手の接触を検出しているかを判定し、該判定結果に基づいてタッチパネル表示ユニット１５１或いは変動表示装置４の表示内容（演出内容）を以下に示すように制御しても良い。
１．タッチパネル表示ユニット１５１のタッチ表示部の配列や配置を上記判定結果に基づいて変更する。例えば、空いている手で操作しやすいような配列や配置にする。
２．変動表示装置４に表示する図柄やキャラクタ等の表示態様を変更する。例えば、遊技者がタッチしているハンドルタッチ検出部材１５２の位置により遊技者の封入球式遊技機１００に対する角度が変化することとなるので、その角度で見やすいように図柄やキャラクタの表示位置を変更したり、キャラクタが画面内に現出する方向を決定したりする。
３．上述したように演出として左右両方の空間部１５８，１５８に風を発生可能とした場合、遊技者が操作している（手を入れている）空間部１５８に風を発生させ、遊技者が操作していない空間部１５８には風を発生させない。
なお、上記の１〜３の制御を行う制御装置は、発射制御装置（発射制御基板６３）や枠制御装置（第１枠制御基板８１、第２枠制御基板８２）、演出制御装置（演出制御基板５０）となるが、ハンドルタッチ検出部材１５２，１５２が遊技者の手の接触を検出しているかを判定する判定手段は、発射制御装置或いは枠制御装置の何れでも良い。
【０１８７】
また、空間部１５８，１５８を形成する部材（例えば、載置部１６４を構成する部材）に、抗菌剤を混入或るいは塗布した部材を使用するようにしても良い。
【０１８８】
また、遊技者が一時的に離席する時に、左右にハンドルタッチ検出部材１５２，１５２が設けられているので、左右隣りのどちらの遊技者でも手助け（例えば、離席中に大当たりが発生した場合の発射の継続等）を行うことが可能となっている。
【０１８９】
また、制御装置（主に発射制御装置や枠制御装置）では、左右のハンドルタッチ検出部材１５２，１５２からの検出信号を独立して監視するようにしているので、仮に一方のハンドルタッチ検出部材１５２に故障が生じても、他方のハンドルタッチ検出部材１５２が正常であれば遊技が可能であり、封入球式遊技機１００の稼働が停止することはない。
【０１９０】
また、本発明の遊技機は、前記実施の形態に示されるようなパチンコ遊技機としての封入球式遊技機１００に限定されず、例えば、その他のパチンコ遊技機、アレンジボール遊技機、雀球遊技機などの遊技球を使用する全ての遊技機に適用可能である。
さらに、今回開示された実施の形態はすべての点で例示であって制限的なものではないと考えられるべきである。本発明の範囲は前記した説明ではなくて特許請求の範囲によって示され、特許請求の範囲と均等の意味および範囲内でのすべての変更が含まれることが意図される。
【図面の簡単な説明】
【０１９１】
【図１】本発明の実施の形態の封入球式遊技機として例示されるガラス枠を開放した状態の封入球式遊技機を示す斜視図である。
【図２】ガラス枠を閉鎖した状態の封入球式遊技機を示す斜視図である。
【図３】封入球式遊技機の裏面側を示す背面図である。
【図４】封入球式遊技機の裏面下部を示す要部斜視図である。
【図５】封入球式遊技機の前面枠の取付盤の上面を示す斜視図である。
【図６】封入球式遊技機の下部を示す要部断面図である。
【図７】封入球式遊技機の下部を示す要部断面図である。
【図８】封入球式遊技機の発射操作ユニットの上側を示す平面図である。
【図９】発射操作ユニットの右側を示す側面図である。
【図１０】図９の面X−Xに沿う断面図である。
【図１１】面X−Xに沿って破断された端面を示す端面図である。
【図１２】発射操作ユニットを分解した状態を示す分解斜視図である。
【図１３】封入球式遊技機の封入球循環ユニットの裏面側を示す斜視図である。
【図１４】封入球循環ユニットを示す内部が透視された状態の背面図である。
【図１５】封入球循環ユニットの内部となる前壁部材の裏面を示す背面図である。
【図１６】封入球循環ユニットを示す分解斜視図である。
【図１７】封入球循環ユニットのフィルタ取付部及びフィルタを示す分解斜視図である。
【図１８】封入球循環ユニットの前面側を示す斜視図である。
【図１９】封入球式遊技機の裏面側を示す斜視図である。
【符号の説明】
【０１９２】
１       遊技盤
１ａ     遊技領域
６１     発射装置
１００   封入球式遊技機（遊技機）
１５１   タッチパネル表示ユニット（表示装置、前面機能体）
１５２   ハンドルタッチ検出部材（タッチ検出部材）
１５３   発射スライドボリューム（前面機能体）
１５４   見せ球装飾部（前面機能体）
１５５   スピーカ（前面機能体）
１５６   操作レバー（発射勢調整部材）
１５９   取付枠体
１５８   空間部
１５８ａ 開口
１６３   空間形成部（空間形成部材）
１６３ａ 前面構成部
１６３ｂ 底面構成部
１６３ｃ 把持部
１６４   載置部
【図１】
2008194490.tif 000003
【図２】
2008194490.tif 000004
【図３】
2008194490.tif 000005
【図４】
2008194490.tif 000006
【図５】
2008194490.tif 000007
【図６】
2008194490.tif 000008
【図７】
2008194490.tif 000009
【図８】
2008194490.tif 000010
【図９】
2008194490.tif 000011
【図１０】
2008194490.tif 000012
【図１１】
2008194490.tif 000013
【図１２】
2008194490.tif 000014
【図１３】
2008194490.tif 000015
【図１４】
2008194490.tif 000016
【図１５】
2008194490.tif 000017
【図１６】
2008194490.tif 000018
【図１７】
2008194490.tif 000019
【図１８】
2008194490.tif 000020
【図１９】
2008194490.tif 000021